(57)【要約】【課題】  低スキル作業者のスキルを早期に向上させることが可能となる作業者自動選定システムを提供する。【解決手段】  作業者選定システムは、作業スキル判定部と、作業者選定部と、情報更新部と、各種情報を格納した記憶部とを備える。作業スキル判定部は、対応が必要な作業の発生時に、複数の作業者間の当該作業に対する作業スキルの高低を判定し、複数の作業者のうち作業スキルの最も低い低スキル作業者を抽出する。作業者選定部は、抽出された低スキル作業者を作業への対応作業者として選定する。情報更新部は、選定された対応作業者が対応した作業の結果に基づいて、記憶部の情報を更新する。【選択図】  図１
2020091505.tif 000002
【特許請求の範囲】
【請求項１】
設備における必要な作業に対応する作業者を複数の作業者の中から自動的に選定するための作業者選定システムであって、
設備における必要な作業に関する情報である作業情報と、複数の作業者の情報と各々の作業者が過去に行った作業に関する情報とを含む作業者情報と、前記作業に対応する前記複数の作業者の当該作業に対する作業スキルに関する情報である作業スキル情報とを格納した記憶部と、
対応が必要な作業の発生時に、前記作業情報と、前記作業者情報と、前記作業スキル情報とを前記記憶部から取得し、複数の作業者間の当該作業に対する作業スキルの高低を判定し、複数の作業者のうち作業スキルの最も低い低スキル作業者を抽出する、作業スキル判定部と、
抽出された前記低スキル作業者を前記作業への対応作業者として選定し、該対応作業者の作業者情報を出力する、作業者選定部と、
前記作業者選定部によって選定された前記対応作業者が対応した作業の結果に基づいて、前記記憶部の前記作業情報、前記作業者情報、及び前記作業スキル情報のいずれか又はこれらの組み合わせを更新する情報更新部と
を有することを特徴とする作業者選定システム。
【請求項２】
前記作業スキル判定部によって抽出された前記低スキル作業者について、前記低スキル作業者の前記作業に対する過去の作業スキルの変化を求め、その変化に基づいて作業スキルの向上可能性を判定する、作業スキル向上可能性判定部をさらに有し、
前記作業者選定部は、前記作業スキル向上可能性判定部によって前記低スキル作業者の作業スキル向上が可能であると判定された場合には、前記低スキル作業者を前記対応作業者として選定する
請求項１に記載の作業者選定システム。
【請求項３】
前記作業スキル判定部によって抽出された前記低スキル作業者について、前記作業スキル向上可能性判定部によって作業スキル向上が可能ではないと判定された場合には、前記作業スキル判定部は、前記複数の作業者のうち前記低スキル作業者を除く他の作業者の中で作業スキルの最も低い別の低スキル作業者を抽出する
請求項２に記載の作業者選定システム。
【請求項４】
前記作業スキル判定部によって抽出された前記低スキル作業者について、前記作業スキル向上可能性判定部によって作業スキル向上が可能ではないと判定された場合には、前記作業スキル判定部は、前記低スキル作業者と、前記複数の作業者のうち前記低スキル作業者を除く他の作業者の中で作業スキルの最も高い高スキル作業者とを、いずれも作業者として抽出する、
請求項２に記載の作業者選定システム。
【請求項５】
前記作業スキル判定部は、
前記低スキル作業者と前記高スキル作業者との組み合わせが当該作業と同じ前回の作業に対応したときと同じ組み合わせであるかどうか、及び／又は、前記高スキル作業者の作業スキルと前記低スキル作業者の作業スキルとの差が所定の基準以上であるかどうかを判定して、
組み合わせが当該作業と同じ前回の作業に対応したときと同じ組み合わせではなく、前記差が所定の基準以上である場合には、前記低スキル作業者と前記高スキル作業者とをいずれも作業者として抽出し、
組み合わせが当該作業と同じ前回の作業に対応したときと同じ組み合わせであるか、又は前記差が所定の基準より低い場合には、前記複数の作業者のうち前記低スキル作業者を除く他の作業者の中で作業スキルの最も低い別の低スキル作業者を抽出する、
請求項４に記載の作業者選定システム。
【請求項６】
前記作業スキル判定部は、
前記低スキル作業者と前記高スキル作業者との組み合わせが当該作業と同じ前回の作業に対応したときと同じ組み合わせであるかどうか、及び／又は、前記高スキル作業者の作業スキルと前記低スキル作業者の作業スキルとの差が所定の基準以上であるかどうかを判定して、
組み合わせが当該作業と同じ前回の作業に対応したときと同じ組み合わせである場合には、前記複数の作業者のうち前記高スキル作業者を除く他の作業者の中で作業スキルの最も高い別の高スキル作業者を選び、該別の高スキル作業者と前記低スキル作業者との組み合わせが、当該作業と同じ前回の作業に対応したときと同じ組み合わせであるかどうかを判定する処理を繰り返し、
組み合わせが当該作業と同じ前回の作業に対応したときと同じ組み合わせではなく、前記差が所定の基準以上である場合には、前記低スキル作業者と前記高スキル作業者とをいずれも作業者として抽出し、
前記差が所定の基準より低い場合には、前記複数の作業者のうち前記低スキル作業者を除く他の作業者の中で作業スキルの最も低い別の低スキル作業者を抽出する、
請求項４に記載の作業者選定システム。
【請求項７】
前記作業スキル判定部が、前記複数の作業者のうち前記低スキル作業者を除く他の作業者を抽出できない場合には、前記作業者選定部は、前記複数の作業者の中から所定の選定基準を満たすいずれかの作業者を選定する、
請求項３、請求項５、又は請求項６のいずれか１項に記載の作業者選定システム。
【請求項８】
設備における必要な作業に対応する作業者を複数の作業者の中から自動的に選定するための作業者選定システムであって、
設備における必要な作業に関する情報である作業情報と、複数の作業者の情報と各々の作業者が過去に行った作業に関する情報とを含む作業者情報と、前記作業に対応する前記複数の作業者の当該作業に対する作業スキルに関する情報である作業スキル情報と、設備によって生産される物品の生産関連情報とを格納した記憶部と、
対応が必要な作業の発生時に、前記生産関連情報を前記記憶部から取得し、前記作業を行うために設備の稼働を停止しても生産計画を達成することができる許容時間を算出する作業許容時間算出部と、
対応が必要な作業の発生時に、前記作業情報と、前記作業者情報と、前記作業スキル情報とを前記記憶部から取得し、複数の作業者間の当該作業に対する作業スキルの高低を判定し、複数の作業者のうち作業スキルの最も低い低スキル作業者を抽出する、作業スキル判定部と、
前記作業スキル判定部によって抽出された前記低スキル作業者が、前記許容時間内に当該作業を完了することができるかどうかを判定する、作業完了可能性判定部と、
前記作業完了可能性判定部によって前記低スキル作業者が当該作業を完了することができると判定された場合には、抽出された前記低スキル作業者を前記作業への対応作業者として選定し、該対応作業者の作業者情報を出力する、作業者選定部と、
前記作業者選定部によって選定された前記対応作業者が対応した作業の結果に基づいて、前記記憶部の前記作業情報、前記作業者情報、及び前記作業スキル情報のいずれか又はこれらの組み合わせを更新する情報更新部と
を有することを特徴とする作業者選定システム。
【請求項９】
前記作業スキル判定部によって抽出された前記低スキル作業者について、前記低スキル作業者の前記作業に対する過去の作業スキルの変化を求め、その変化に基づいて作業スキルの向上可能性を判定する、作業スキル向上可能性判定部をさらに有し、
前記作業完了可能性判定部によって前記低スキル作業者が当該作業を完了することができると判定され、かつ、前記作業スキル向上可能性判定部によって前記低スキル作業者の作業スキル向上が可能であると判定された場合には、前記作業者選定部は、前記低スキル作業者を前記対応作業者として選定する、
請求項８に記載の作業者選定システム。
【請求項１０】
前記作業完了可能性判定部よって前記低スキル作業者が前記作業を完了することができないと判定された場合又は前記作業スキル向上可能性判定部によって前記低スキル作業者の作業スキル向上が可能ではないと判定された場合には、前記作業スキル判定部は、前記複数の作業者のうち前記低スキル作業者を除く他の作業者の中で作業スキルの最も低い別の低スキル作業者を抽出する
請求項８又は請求項９に記載の作業者選定システム。
【請求項１１】
前記作業スキル判定部によって抽出された前記低スキル作業者について、前記作業スキル向上可能性判定部によって作業スキル向上が可能ではないと判定された場合には、前記作業スキル判定部は、前記低スキル作業者と、前記複数の作業者のうち前記低スキル作業者を除く他の作業者の中で作業スキルの最も高い高スキル作業者とを、いずれも作業者として抽出する、
請求項９に記載の作業者選定システム。
【請求項１２】
前記作業スキル判定部は、
前記低スキル作業者と前記高スキル作業者との組み合わせが当該作業と同じ前回の作業に対応したときと同じ組み合わせであるかどうか、及び／又は、前記高スキル作業者の作業スキルと前記低スキル作業者の作業スキルとの差が所定の基準以上であるかどうかを判定して、
組み合わせが当該作業と同じ前回の作業に対応したときと同じ組み合わせではなく、前記差が所定の基準以上である場合には、前記低スキル作業者と前記高スキル作業者とをいずれも作業者として抽出し、
組み合わせが当該作業と同じ前回の作業に対応したときと同じ組み合わせであるか、又は前記差が所定の基準より低い場合には、前記複数の作業者のうち前記低スキル作業者を除く他の作業者の中で作業スキルの最も低い別の低スキル作業者を抽出する、
請求項１１に記載の作業者選定システム。
【請求項１３】
前記作業スキル判定部は、
前記低スキル作業者と前記高スキル作業者との組み合わせが当該作業と同じ前回の作業に対応したときと同じ組み合わせであるかどうか、及び／又は、前記高スキル作業者の作業スキルと前記低スキル作業者の作業スキルとの差が所定の基準以上であるかどうかを判定して、
組み合わせが当該作業と同じ前回の作業に対応したときと同じ組み合わせである場合には、前記複数の作業者のうち前記高スキル作業者を除く他の作業者の中で作業スキルの最も高い別の高スキル作業者を選び、該別の高スキル作業者と前記低スキル作業者との組み合わせが、当該作業と同じ前回の作業に対応したときと同じ組み合わせであるかどうかを判定する処理を繰り返し、
組み合わせが当該作業と同じ前回の作業に対応したときと同じ組み合わせではなく、前記差が所定の基準以上である場合には、前記低スキル作業者と前記高スキル作業者とをいずれも作業者として抽出し、
前記差が所定の基準より低い場合には、前記複数の作業者のうち前記低スキル作業者を除く他の作業者の中で作業スキルの最も低い別の低スキル作業者を抽出する、
請求項１１に記載の作業者選定システム。
【請求項１４】
前記作業スキル判定部が、前記複数の作業者のうち前記低スキル作業者を除く他の作業者を抽出できない場合には、前記作業者選定部は、前記複数の作業者の中から、過去において当該作業に対応した際に要した時間のうち最短の作業時間が最も短い作業者を選定する、
請求項１０、請求項１２又は請求項１３のいずれか１項に記載の作業者選定システム。
【請求項１５】
前記複数の作業者の中に前記作業を行った経験のない作業者がいるかどうかを判定し、当該作業者がいる場合にはその作業者に前記作業に対する仮作業スキルを設定する、作業未経験者判定部をさらに含む、請求項１から請求項１４までのいずれか１項に記載の作業者選定システム。
【請求項１６】
設備における必要な作業に対応する作業者を複数の作業者の中から自動的に選定するための作業者選定方法であって、
対応が必要な作業が発生したときに、設備における必要な作業に関する情報である作業情報と、複数の作業者の情報とその作業者が過去に行った作業の情報とを含む作業者情報と、前記複数の作業者の当該作業に対する作業スキルに関する情報である作業スキル情報とを取得し、複数の作業者間の当該作業に対する作業スキルの高低を判定し、複数の作業者のうち作業スキルの最も低い低スキル作業者を抽出する、作業スキル判定ステップと、
抽出された前記低スキル作業者を前記作業への対応作業者として選定し、該対応作業者の作業者情報を出力する、作業者選定ステップと、
前記作業者選定ステップによって選定された前記対応作業者が対応した作業の結果に基づいて、前記作業情報、前記作業者情報、及び前記作業スキル情報のいずれか又はこれらの組み合わせを更新する情報更新ステップと
を含むことを特徴とする作業者選定方法。
【請求項１７】
前記作業スキル判定ステップにおいて抽出された前記低スキル作業者について、前記低スキル作業者の前記作業に対する過去の作業スキルの変化を求め、その変化に基づいて作業スキルの向上可能性を判定する、作業スキル向上可能性判定ステップをさらに含み、
前記作業スキル向上可能性判定ステップにおいて前記低スキル作業者の作業スキル向上が可能であると判定された場合には、前記作業者選定ステップにおいて、前記低スキル作業者を前記対応作業者として選定する
請求項１６に記載の作業者選定方法。
【請求項１８】
前記作業スキル判定ステップにおいて抽出された前記低スキル作業者について、前記作業スキル向上可能性判定ステップにおいて作業スキル向上が可能ではないと判定された場合には、前記作業スキル判定ステップにおいて、前記複数の作業者のうち前記低スキル作業者を除く他の作業者の中で作業スキルの最も低い別の低スキル作業者を抽出する
請求項１７に記載の作業者選定方法。
【請求項１９】
前記作業スキル判定ステップにおいて抽出された前記低スキル作業者について、前記作業スキル向上可能性判定ステップにおいて作業スキル向上が可能ではないと判定された場合には、前記作業スキル判定ステップにおいて、前記低スキル作業者と、前記複数の作業者のうち前記低スキル作業者を除く他の作業者の中で作業スキルの最も高い高スキル作業者とを、いずれも作業者として抽出する、
請求項１７に記載の作業者選定方法。
【請求項２０】
前記作業スキル判定ステップにおいて、
前記低スキル作業者と前記高スキル作業者との組み合わせが当該作業と同じ前回の作業に対応したときと同じ組み合わせであるかどうか、及び／又は、前記高スキル作業者の作業スキルと前記低スキル作業者の作業スキルとの差が所定の基準以上であるかどうかを判定して、
組み合わせが当該作業と同じ前回の作業に対応したときと同じ組み合わせではなく、前記差が所定の基準以上である場合には、前記低スキル作業者と前記高スキル作業者とをいずれも作業者として抽出し、
組み合わせが当該作業と同じ前回の作業に対応したときと同じ組み合わせであるか、又は前記差が所定の基準より低い場合には、前記複数の作業者のうち前記低スキル作業者を除く他の作業者の中で作業スキルの最も低い別の低スキル作業者を抽出する、
請求項１９に記載の作業者選定方法。
【請求項２１】
前記作業スキル判定ステップにおいて、
前記低スキル作業者と前記高スキル作業者との組み合わせが当該作業と同じ前回の作業に対応したときと同じ組み合わせであるかどうか、及び／又は、前記高スキル作業者の作業スキルと前記低スキル作業者の作業スキルとの差が所定の基準以上であるかどうかを判定して、
組み合わせが当該作業と同じ前回の作業に対応したときと同じ組み合わせである場合には、前記複数の作業者のうち前記高スキル作業者を除く他の作業者の中で作業スキルの最も高い別の高スキル作業者を選び、該別の高スキル作業者と前記低スキル作業者との組み合わせが、当該作業と同じ前回の作業に対応したときと同じ組み合わせであるかどうかを判定する処理を繰り返し、
組み合わせが当該作業と同じ前回の作業に対応したときと同じ組み合わせではなく、前記差が所定の基準以上である場合には、前記低スキル作業者と前記高スキル作業者とをいずれも作業者として抽出し、
前記差が所定の基準より低い場合には、前記複数の作業者のうち前記低スキル作業者を除く他の作業者の中で作業スキルの最も低い別の低スキル作業者を抽出する、
請求項１９に記載の作業者選定方法。
【請求項２２】
前記作業スキル判定ステップにおいて、前記複数の作業者のうち前記低スキル作業者を除く他の作業者を選定できない場合には、前記作業者選定ステップにおいて、前記複数の作業者の中から所定の選定基準を満たすいずれかの作業者を選定する
請求項１８、請求項２０又は請求項２１のいずれか１項に記載の作業者選定方法。
【請求項２３】
設備における必要な作業に対応する作業者を複数の作業者の中から自動的に選定するための作業者選定方法であって、
対応が必要な作業が発生したときに、設備によって生産される物品の生産関連情報を取得し、前記作業を行うために設備の稼働を停止しても生産計画を達成することができる許容時間を算出する許容時間算出ステップと、
対応が必要な作業が発生したときに、設備における必要な作業に関する情報である作業情報と、複数の作業者の情報とその作業者が過去に行った作業の情報とを含む作業者情報と、前記複数の作業者の当該作業に対する作業スキルに関する情報である作業スキル情報とを取得し、複数の作業者間の当該作業に対する作業スキルの高低を判定し、複数の作業者のうち作業スキルの最も低い低スキル作業者を抽出する、作業スキル判定ステップと、
前記作業スキル判定ステップにおいて抽出された前記低スキル作業者が、前記許容時間内に当該作業を完了することができるかどうかを判定する、作業完了可能性判定ステップと、
前記作業完了可能性判定ステップにおいて前記低スキル作業者が当該作業を完了することができると判定された場合には、抽出された前記低スキル作業者を前記作業への対応作業者として選定し、該対応作業者の作業者情報を出力する、作業者選定ステップと、
前記作業者選定ステップにおいて選定された前記対応作業者が対応した作業の結果に基づいて、前記記憶部の前記作業情報、前記作業者情報、及び前記作業スキル情報のいずれか又はこれらの組み合わせを更新する情報更新ステップと
を含むことを特徴とする作業者選定方法。
【請求項２４】
前記作業スキル判定ステップにおいて抽出された前記低スキル作業者について、前記低スキル作業者の前記作業に対する過去の作業スキルの変化を求め、その変化に基づいて作業スキルの向上可能性を判定する、作業スキル向上可能性判定ステップをさらに含み、
前記作業完了可能性判定ステップにおいて前記低スキル作業者が当該作業を完了することができると判定され、かつ、前記作業スキル向上可能性判定ステップにおいて前記低スキル作業者の作業スキル向上が可能であると判定された場合には、前記作業者選定ステップは、前記低スキル作業者を前記対応作業者として選定する、
請求項２３に記載の作業者選定方法。
【請求項２５】
前記作業完了可能性判定ステップにおいて前記低スキル作業者が前記作業を完了することができないと判定された場合又は前記作業スキル向上可能性判定ステップにおいて前記低スキル作業者の作業スキル向上が可能ではないと判定された場合には、前記作業スキル判定ステップにおいて、前記複数の作業者のうち前記低スキル作業者を除く他の作業者の中で作業スキルの最も低い別の低スキル作業者を抽出する
請求項２３又は請求項２４に記載の作業者選定方法。
【請求項２６】
前記作業スキル判定ステップにおいて抽出された前記低スキル作業者について、前記作業スキル向上可能性判定ステップにおいて作業スキル向上が可能ではないと判定された場合には、前記作業スキル判定ステップにおいて、前記低スキル作業者と、前記複数の作業者のうち前記低スキル作業者を除く他の作業者の中で作業スキルの最も高い高スキル作業者とを、いずれも作業者として抽出する、
請求項２４に記載の作業者選定方法。
【請求項２７】
前記作業スキル判定ステップにおいて、
前記低スキル作業者と前記高スキル作業者との組み合わせが当該作業と同じ前回の作業に対応したときと同じ組み合わせであるかどうか、及び／又は、前記高スキル作業者の作業スキルと前記低スキル作業者の作業スキルとの差が所定の基準以上であるかどうかを判定して、
組み合わせが当該作業と同じ前回の作業に対応したときと同じ組み合わせではなく、前記差が所定の基準以上である場合には、前記低スキル作業者と前記高スキル作業者とをいずれも作業者として抽出し、
組み合わせが当該作業と同じ前回の作業に対応したときと同じ組み合わせであるか、又は前記差が所定の基準より低い場合には、前記複数の作業者のうち前記低スキル作業者を除く他の作業者の中で作業スキルの最も低い別の低スキル作業者を抽出する、
請求項２６に記載の作業者選定方法。
【請求項２８】
前記作業スキル判定ステップにおいて、
前記低スキル作業者と前記高スキル作業者との組み合わせが当該作業と同じ前回の作業に対応したときと同じ組み合わせであるかどうか、及び／又は、前記高スキル作業者の作業スキルと前記低スキル作業者の作業スキルとの差が所定の基準以上であるかどうかを判定して、
組み合わせが当該作業と同じ前回の作業に対応したときと同じ組み合わせである場合には、前記複数の作業者のうち前記高スキル作業者を除く他の作業者の中で作業スキルの最も高い別の高スキル作業者を選び、該別の高スキル作業者と前記低スキル作業者との組み合わせが、当該作業と同じ前回の作業に対応したときと同じ組み合わせであるかどうかを判定する処理を繰り返し、
組み合わせが当該作業と同じ前回の作業に対応したときと同じ組み合わせではなく、前記差が所定の基準以上である場合には、前記低スキル作業者と前記高スキル作業者とをいずれも作業者として抽出し、
前記差が所定の基準より低い場合には、前記複数の作業者のうち前記低スキル作業者を除く他の作業者の中で作業スキルの最も低い別の低スキル作業者を抽出する、
請求項２６に記載の作業者選定方法。
【請求項２９】
前記作業スキル判定ステップにおいて、前記複数の作業者のうち前記低スキル作業者を除く他の作業者を抽出できない場合には、前記作業者選定ステップにおいて、前記複数の作業者の中から、過去において当該作業に対応した際に要した時間のうち最短の作業時間が最も短い作業者を選定する、
請求項２５、請求項２７又は請求項２８に記載の作業者選定方法。
【請求項３０】
前記複数の作業者の中に前記作業を行った経験のない作業者がいるかどうかを判定し、当該作業者がいる場合にはその作業者に前記作業に対する仮作業スキルを設定する、作業未経験者判定ステップをさらに含む、請求項１６から請求項２９までのいずれか１項に記載の作業者選定方法。
【請求項３１】
コンピュータ・システム上で実行可能なコンピュータ・プログラムであって、請求項１６から請求項３０までのいずれか１項に記載の方法のステップを前記コンピュータ・システムに実行させるための命令を含む、コンピュータ・プログラム。
【発明の詳細な説明】
【技術分野】
【０００１】
本発明は、設備における必要な作業に対応する作業者を自動的に選定するためのシステムに関し、より具体的には、複数の作業者の作業スキル情報に基づいて当該作業に対応すべき作業者を自動的に選定する作業者選定システムに関する。
【背景技術】
【０００２】
物品の生産設備においては、設備の運転時に、対応を必要とする種々の作業が発生する場合がある。対応を必要とする作業として、物品の生産を停止することなく行うことができる作業だけでなく、生産を停止しなければ行うことができない作業がある。対応を必要とする作業が発生した場合には、その作業の発生箇所を探索し、発生原因を調査し、作業を行うための対策を講じなければならない。対応を必要とする作業の中でも、物品の生産を停止しなければならない作業、例えば設備に生じたトラブルを解決するための作業や材料の交換及び補充のための作業などが発生した場合に、作業終了までの時間が長いと、物品の生産が計画どおりに行われず、必要な期日までに必要な量及び質の物品を生産できなくなったり、生産計画を達成するために設備及び作業者の稼働に無理が生じたりするおそれがある。
【０００３】
物品の生産設備においては、複数の作業者がチームを組んで設備の運転を行うことが多い。複数の作業者からなるチームにおいては、通常、設備の運転に必要となる作業について高いスキルを有するベテラン作業者から、経験の乏しい低スキルの新人作業者までが、バランスよく配置される。同じ作業でも、ベテラン作業者であれば短時間かつ高精度で終えることができるものであっても、新人作業者の場合には時間がかかったり精度が低い作業結果となったりする場合が多い。また、同じ作業者でも、習熟している作業もあれば、経験の乏しい作業もある。設備において対応を要する作業が発生した場合に、その作業に対応させる作業者は、種々の状況を勘案して選定される。例えば、短時間で対応可能となるような簡単な作業であれば、新人作業者やその作業に対するスキルの低い作業者に対応させ、長時間の対応が必要な難しい作業には、その作業に対するスキルの高いベテラン作業者に対応させるといった対応が考えられる。
【０００４】
設備において対応すべき何らかの作業が必要となった場合に、当該作業に対応させる作業者を自動的に選定するとともに、作業者に適正な教育を施すという観点で提案された技術として、特許文献１〜特許文献４に開示されたものがある。
特許文献１は、生産ラインの計画にあたり、作業者を短期間で教育し、適正な技能レベルを持った作業者を適正にラインに配置できるようにするための作業者教育システムに関する。このシステムでは、生産ラインの作業工程ごとに標準化された習熟度を示すスキルに基づいて、適正な技能レベルを持った作業者を検索し、ラインに配置するともに、各作業者の技能ランクを判定して必要なときにトレーニングを実施することができる。トレーニングは、作業者自身が自己学習できる教育ツールやシステムによって提供されたスケジュールに基づいて行われる。
【０００５】
特許文献２は、作業者のスキルレベル、作業工程への作業者の配置状況、作業者の教育実績をリアルタイムに反映させ、これらのデータを一元的に把握できるようにすることにより、生産効率の向上や、作業者の育成計画支援を行うことができる支援システムに関する。このシステムでは、製造実績及び教育実績から作業者のスキルレベルが評価され、スキルレベルを考慮して人員配置が行われる。システムは、スキルレベルに達していない作業者がいれば抽出し、当該作業者の教育計画を作成する。低スキルの作業者に対する教育は、作業工程に割り当てられない非稼働時間に行われるように計画される。
【０００６】
特許文献３は、製品の製造ラインにおいて、適切な作業者を自動的に抽出して作業を行わせることができるようにするとともに、作業者に対して適切な時期に適切な教育を受けさせることにより作業者のスキル向上を図るシステムに関する。このシステムでは、新たな作業が行われるときに、作業者が作業に従事したときの正確性及び速度のいずれか一方を含む処理レベルと、作業者が受験した試験の成績レベルとに基づいて、作業に従事すべき適切なスキルを持つ作業者を抽出することができる。
【０００７】
特許文献４は、保守作業やエンジニアリング業務などのプロジェクト実行計画の作成にあたり、作業者のスキルの変化を考慮して、プロジェクトへの作業者割り当てを行うことができるようにするシステムに関する。このシステムでは、プロジェクトを構成するワークフローの各ワークに対して作業者のスキルレベルに応じた標準推定作業時間と、すでに実施された各ワークの担当作業者の実作業時間とに基づいて、作業者の現在のスキルレベルを算出及び更新し、各ワークに割り当てられた作業者の更新されたスキルレベルに基づいて、各ワークの推定作業時間を算出することができる。
【先行技術文献】
【特許文献】
【０００８】
【特許文献１】特開２００２−２７９０１９号公報
【特許文献２】特開２０１０−２４４１７６号公報
【特許文献３】特開２０１３−２５４２４１号公報
【特許文献４】特開２０１６−１９４７３６号公報
【発明の概要】
【発明が解決しようとする課題】
【０００９】
特許文献１〜４に提案されるような考え方に基づいて構築されたシステムは、設備において対応を必要とする作業が発生した場合に、各作業者のスキルに基づいて当該作業を適切に行うことができる作業者を自動的に選定することができるようにするものである。しかし、作業発生時にこれらのシステムによって作業者を選定すると、例えば、簡単な作業に対しては常に新人作業員が割り当てられ、困難な作業には常にベテラン作業員が割り当てられることになり、このような割り当てが続けられると、新人作業員の作業スキルの早期向上が難しいという問題がある。また、設備の運転は、一般に、複数の作業者がチームを組んで行われることが多いが、低スキル作業者のスキルが向上しなければチーム全体としての設備運転スキルの向上が望めず、ひいては物品生産のさらなる効率化が難しくなる。
【００１０】
さらに、特許文献１〜３に提案されるシステムでは、作業者のスキルを向上させるための教育に関しても考慮されているものの、いずれの技術においても、当該作業に対するスキルが低い作業者に当該作業を実際に経験させることによってスキルを向上させるという考え方を採用するものではない。これらのシステムにおいて実現される作業者教育は、設備の運転とは別に行われ、その教育の結果として技能レベルが向上した作業員が、その技能レベルに応じた作業に対応できるようにするものである。したがって、実際の設備運転時に発生する難しい作業に対しても新人作業員が対応する機会を設けることによって、より実際の状況に即した効率的な教育が行われるようにすることが望ましい。
【００１１】
上記の課題を解決するため、本発明は、低スキル作業者のスキルを早期に向上させることが可能となる、設備における作業者自動選定システムを提供することを目的とする。
【課題を解決するための手段】
【００１２】
本発明の第１の態様においては、設備における必要な作業に対応する作業者を複数の作業者の中から自動的に選定するための作業者選定システムを提供する。作業者選定システムは、設備における必要な作業に関する情報である作業情報と、複数の作業者の情報と各々の作業者が過去に行った作業に関する情報とを含む作業者情報と、前記作業に対応する前記複数の作業者の当該作業に対する作業スキルに関する情報である作業スキル情報とを格納した記憶部とを備える。記憶部は、設備によって生産される物品の生産関連情報を格納することもできる。
【００１３】
作業者選定システムは、作業スキル判定部と、作業者選定部と、情報更新部とを備える。作業スキル判定部は、対応が必要な作業の発生時に、作業情報と、作業者情報と、作業スキル情報とを記憶部から取得し、複数の作業者間の当該作業に対する作業スキルの高低を判定し、複数の作業者のうち作業スキルの最も低い低スキル作業者を抽出する。作業者選定部は、抽出された低スキル作業者を作業への対応作業者として選定し、当該対応作業者の作業者情報を出力する。情報更新部は、作業者選定部によって選定された対応作業者が対応した作業の結果に基づいて、記憶部の作業情報、作業者情報、及び作業スキル情報のいずれか又はこれらの組み合わせを更新する。
【００１４】
一実施形態においては、作業者選定システムは、作業スキル判定部によって抽出された低スキル作業者について、作業に対する過去の作業スキルの変化を求め、その変化に基づいて作業スキルの向上可能性を判定する、作業スキル向上可能性判定部をさらに有するものとすることができる。さらに、作業者選定システムは、複数の作業者の中に作業を行った経験のない作業者がいるかどうかを判定し、当該作業者がいる場合にはその作業者に作業に対する仮作業スキルを設定する、作業未経験者判定部をさらに有するものとすることもできる。
【００１５】
作業者選定システムは、さらに、生産関連情報を記憶部から取得し、作業を行うために設備の稼働を停止しても生産計画を達成することができる許容時間を算出する作業許容時間算出部と、作業スキル判定部によって抽出された低スキル作業者が、許容時間内に当該作業を完了することができるかどうかを判定する、作業完了可能性判定部とを有するものとすることもできる。
【００１６】
本発明の第２の態様においては、設備における必要な作業に対応する作業者を複数の作業者の中から自動的に選定するための作業者選定方法を提供する。また、本発明の第３の態様においては、作業者選定方法の各ステップをコンピュータ・システムに実行させるための命令を含む、コンピュータ・システム上で実行可能なコンピュータ・プログラムを提供する。
【発明の効果】
【００１７】
本発明によれば、設備において必要となる種々の作業について、低スキル作業者の作業スキルを早期に向上させることができる。
【図面の簡単な説明】
【００１８】
【図１】本発明の一実施形態による作業者選定システムの概略的な構成を示すブロック図である。
【図２】本発明の一実施形態による作業者選定システムの概略的なハードウェア構成例を示す図である。
【図３】本発明の一実施形態による作業者選定処理を示す処理フローである。
【図４】作業の分類判断において用いられる、設備における必要な作業に関する作業情報の例を示す。
【図５Ａ】過去において作業を行った際にかかった時間のうち最短の作業時間を作業スキルとする例を示す。
【図５Ｂ】技能レベル値を重み付けして合計した値を作業スキルとする例を示す。
【図６】作業者選定処理において、作業者の作業スキル向上の可能性を考慮した場合の処理フローである。
【図７Ａ】作業者選定処理において、作業者の作業スキル向上可能性を考慮した上で、作業スキル向上が可能ではないと判定されたときに当該作業者とともに作業を行わせる教育者を選定する場合の処理フローである。この処理においては、抽出された作業者と教育者との組み合わせが、当該作業と同じ前回作業に対応したときと同じ組み合わせのときには、別の作業者を選定するようになっている。
【図７Ｂ】作業者選定処理において、作業者の作業スキル向上可能性を考慮した上で、作業スキル向上が可能ではないと判定されたときに当該作業者とともに作業を行わせる教育者を選定する場合の処理フローである。この処理においては、抽出された作業者と教育者との組み合わせが、当該作業と同じ前回作業に対応したときと同じ組み合わせのときには、別の教育者を選定するようになっている。
【図８】作業者選定処理において、作業の実施に許容される時間を考慮した場合の処理フローである。
【図９】作業の許容時間の考え方を示す図である。
【図１０】作業者選定処理において、作業の許容時間とともに作業者の作業スキル向上の可能性を考慮した場合の処理フローである。
【図１１Ａ】作業者選定処理において、作業の許容時間とともに作業者の作業スキル向上可能性を考慮した上で、作業者の作業スキル向上が可能ではないと判定されたときに当該作業者とともに作業を行わせる教育者を選定する場合の処理フローである。この処理においては、抽出された作業者と教育者との組み合わせが、当該作業と同じ前回作業に対応したときと同じ組み合わせのときには、別の作業者を選定するようになっている。
【図１１Ｂ】作業者選定処理において、作業の許容時間とともに作業者の作業スキル向上可能性を考慮した上で、作業者の作業スキル向上が可能ではないと判定されたときに当該作業者とともに作業を行わせる教育者を選定する場合の処理フローである。この処理においては、抽出された作業者と教育者との組み合わせが、当該作業と同じ前回作業に対応したときと同じ組み合わせのときには、別の教育者を選定するようになっている。
【発明を実施するための形態】
【００１９】
以下に、本発明に係る作業者選定システムの実施形態について、図面を参照しながら詳細に説明する。
【００２０】
図１は、本発明の一実施形態による作業者選定システム１００の概略的な構成を示すブロック図である。作業者選定システム１００は、設備Ｐにおいて対応が必要な作業が発生したことの通知（作業発生通知）を受けて、その作業に対応すべき作業者の情報（対応作業者情報）を出力することができるものであり、作業発生通知の情報に基づいて種々の判断や計算等を実行する機能部と、当該機能を実行するために用いられる各種の情報を記憶する記憶部とを含む。
【００２１】
作業者選定システム１００は、作業情報記憶部１０２、作業者情報記憶部１０４、作業スキル情報記憶部１０６及び生産関連情報記憶部１０８を含む。作業情報記憶部１０２には、設備における必要な作業に関する情報が格納されている。作業者情報記憶部１０４には、作業者の情報とその作業者の過去の作業に関する情報とが格納されている。作業スキル情報記憶部１０６には、設備において発生する作業に対応する各作業者の作業スキルに関する情報が格納されている。生産関連情報記憶部１０８には、設備によって生産される物品の生産関連情報が格納されている。
【００２２】
それぞれの記憶部に格納される情報について、作業情報、作業者情報、作業スキル情報、及び生産関連情報は、それぞれが物理的にまとまったものである必要はない。例えば、作業スキル情報に相当するデータと作業者情報の相当するデータとが混在した状態で、いずれかのハードウェアに一括して格納されていることに限定されず、これらのデータが複数のハードウェアに分散した状態で格納されていてもよく、その場合には、作業スキル情報以外の作業者情報に相当するデータが記憶されている領域が作業者情報記憶部１０４に該当し、作業スキル情報に相当するデータが記憶されている領域が作業スキル情報記憶部１０６に該当する。
【００２３】
作業情報記憶部１０２に記憶される作業情報は、設備における必要な作業に関する情報であり、例えば図４に示されるような情報とすることができる。図４に示される情報は、例えば、設備の状態と、その状態が生じる原因、設備の状態に対応するための必要な作業を判断する根拠、必要な作業の内容、作業に要する時間、作業を行うタイミングなどが含まれるテーブルである。
【００２４】
作業者情報記憶部１０４に記憶される作業者情報は、設備における必要な作業に従事することができる作業者の情報と、その作業者の過去の作業に関する情報とを含む。作業者情報は、例えば、作業者の氏名、ＩＤ番号、所属部署などに加えて、当該作業者が過去に行った作業の内容とその作業への対応に要した時間、作業を行った日時、行った作業の結果などが含まれる。
【００２５】
作業スキル情報記憶部１０６に記憶される作業スキル情報は、設備において発生する作業に対応する各作業者の作業スキルに関する情報を含む。作業スキルの例は後述される。
【００２６】
生産関連情報記憶部１０８に記憶される物品の生産関連情報は、例えば、装置の生産能力、物品の生産計画（生産量、生産日数、生産締日、生産安全度、生産余裕度など）、物品の生産実績などとすることができる。
【００２７】
作業者選定システム１００は、設備Ｐの各部分の状態を監視するセンサなどによるセンシングデータを記憶するセンシングデータ記憶部１０９をさらに含むことが好ましい。センシングデータは、例えば、作業情報とともに用いられて、必要な作業を判断するためのデータとして利用することができる。
【００２８】
作業者選定システム１００は、図１に示されるように、作業分類部１１０、作業未経験者判定部１１２、作業スキル判定部１１６、作業許容時間算出部１１８、作業完了可能性判定部１２０、作業スキル向上可能性判定部１２２、作業者選定部１２４、及び情報更新部１２６を含むものとすることができる。各機能部１１０〜１２６の機能は、以下に順次説明する。
【００２９】
記憶部１０２〜１０９は、１つのハードウェア・データベースとして構成されても、分散型データベースとして構成されてもよい。同様に、作業者選定システム１００の各機能部１１０〜１２６は、１つのコンピュータ・ハードウェア内に構築されていてもよく、分散された複数のコンピュータ・ハードウェア内に構築され、それぞれのコンピュータ・ハードウェアが協働することにより各部の機能を発揮するように構成されてもよい。
【００３０】
作業者選定システム１００は、例えば、ＲＴＰ方式の装置において、装置の運転の際に必要な作業に対応する作業者を自動的に選定するために用いることができる。ＲＴＰ方式は、液晶表示装置などの製造工程において、帯状の離型フィルム上に粘着剤層を介して複数のシート状光学フィルムが支持された帯状光学フィルム積層体から、欠点の存在しない正常なシート状機能フィルムのみを粘着剤層と共に離型フィルムから順次剥離し、粘着剤層を介して矩形パネルと貼り合わせることによって、液晶表示装置を連続的に製造する方式である。こうした方式を実現する液晶表示装置の連続製造システムは、予め切り出された光学フィルムのシートを矩形パネルに貼り合わせる従来の個別貼り方式を実現する装置と区別して、「連続貼り（ＲＴＰ；ロール・ツー・パネル）」装置といわれる。
【００３１】
図２は、本発明の一実施形態による作業者選定システム１００の例示的なコンピュータ・ハードウェア構成を示す。作業者選定システム１００は、中央処理装置（ＣＰＵ）と、中央処理装置が実行する各種のプログラムやデータなどを格納するＲＡＭ、ＲＯＭ、ハードディスクドライブ（ＨＤＤ）などの記憶装置と、これらの装置を互いに接続するバスとを有する汎用コンピュータを用いて実現することができる。さらに、作業者選定システム１００には、必要に応じて、ＣＤ−ＲＯＭ又はＤＶＤ−ＲＯＭなどの外部記録媒体との間でデータの入出力を行うドライブ装置と、キーボード又はマウスなどの入力装置と、ＣＲＴ、液晶ディスプレイ又はプリンタなどの出力装置と、他のコンピュータ又はネットワークと通信するための通信インターフェースとを接続するようにしてもよい。
【００３２】
図３は、作業者選定システム１００において、作業を行う作業者を選定するために実行される処理フロー３００を示す。例えばＲＴＰ装置などの設備Ｐにおいて、作業を必要とする何らかの事象が発生したとき、設備Ｐは、作業者選定システム１００に対して、対応すべき事象が発生したことを通知する（Ｓ３０１）。設備Ｐにおいて対応すべき事象が発生したことは、例えば、設備Ｐの複数箇所に取り付けられたセンサなどの各種の計測機器において検出することができる。例えば、ＲＴＰ装置において、液晶パネルに光学フィルムを貼り合わせる工程で、光学フィルムの貼合位置の精度が悪化した場合には、装置の運転を停止した上で、作業者が状況を探り、必要に応じて例えば貼合パラメータの修正やフィードローラの交換等を行わなければならない。このような場合には、貼合位置検出システムが異常を検知し、例えば異常情報を一元的に収集する機能を有する情報処理端末から、作業者選定システム１００に対して、貼合精度が悪化したしたことが通知される。
【００３３】
対応すべき事象が発生したことが通知されると、作業者選定システム１００は、通知された情報に基づいて、当該事象に関連する作業の作業情報を、設備における必要な作業に関する情報が格納された作業情報記憶部１０２から取得する。作業情報の例は図４に示したとおりである。作業者選定システム１００の作業分類部１１０は、取得した作業情報に基づいて、作業の分類判断を行い、対応すべき作業内容を特定する（Ｓ３０２）。
【００３４】
例えば、貼合精度が悪化したことが通知されると、作業者選定システム１００は、作業情報記憶部１２０から、当該状態が生じる原因、必要な作業を判断するための根拠、必要な作業、作業に要する時間、作業を行うタイミングなどの情報（図４参照）を取得する。作業分類部１１０は、これらの情報と設備Ｐの各部分からのセンシングデータとに基づいて、精度劣化の原因が貼合ローラの劣化であり、貼合ローラの交換が一定期間行われていない場合には、必要な作業が「貼合ローラの交換」であることを特定する。作業分類部１１０は、必要に応じて、作業に要する時間や作業を行うべきタイミングについても特定することができる。
【００３５】
なお、対象作業の分類判断は、作業者選定システム１００によって、例えば予め定められた異常コードや図４に示されるデータなどを用いることにより自動的に行われることが望ましいが、例えば貼合精度劣化が通知されたときに、その原因を、各種センシングデータや過去の経験、作業マニュアル等に基づいて作業者が判断し、必要な作業を特定し、特定された作業内容を入力部から作業者選定システム１００に与えることによって行うこともできる。また、例えば異常コードなどが設定されていない事象が発生した場合に、作業者選定システム１００が、作業情報記憶部１２０に格納された情報から類推して作業内容を決定するようにしてもよい。
【００３６】
次に、対応すべき作業が特定されると、作業者選定システム１００は、設備Ｐの運転に関わっており、当該作業に対応可能な複数の作業者について、作業者の情報とその作業者が過去に行った作業に関する情報とを含む作業者情報を、これらの情報が格納された作業者情報記憶部１０４から取得する。作業者選定システム１００は、作業者情報を取得すると、作業未経験者判定部１１２において、Ｓ３０２で特定された作業について未経験者がいるかどうか判定する（Ｓ３０３）。未経験者がいない場合には、作業者選定システム１００は、次に、複数の作業者の作業者情報に基づいて、当該作業に対応する作業スキルに関する情報である作業スキル情報を、この情報が格納された作業スキル情報記憶部１０６から取得する。
【００３７】
作業スキルは、設備に関する何らかの作業が必要であるときに、当該設備において当該作業を遂行する作業員の作業遂行能力である。作業スキルを表す指標は、作業者が当該作業を遂行する能力を表すことができるものであれば特に限定されるものではなく、種々の指標が考えられる。作業スキルは、定量的な指標であることが望ましいが、定性的な指標であってもよい。作業スキルとして定性的な指標が用いられる場合は、その指標をなんらかの数値に換算した値をシステムが自動的に利用できるようにされていることが好ましい。本発明による作業者選定システム１００においては、個々の作業者の作業遂行能力を表す定量的な数値を、作業スキルとして利用することが好ましい。
【００３８】
作業スキルとして、例えば、過去において当該作業に対応した際に作業に要した時間の平均値、過去において当該作業に対応した際に要した時間のうち最短の作業時間、過去に当該作業を行った回数、当該作業を行う際の移動距離・移動時間などの数値を用いることができる。図５Ａには、過去において当該作業に対応した際に要した時間のうち最短の作業時間を作業スキルとする例を示す。図５（ａ）は、対応すべき作業が簡単な作業の場合の例であり、この例では、作業者Ａが高スキル作業者、作業者Ｄが低スキル作業者である。また、図５（ｂ）は、対応すべき作業が難しい作業の場合の例であり、この例では、作業者Ｉが高スキル作業者、作業者Ｊが低スキル作業者である。
【００３９】
あるいは、作業スキルとして、過去において当該作業を行った結果の精度や、別途定められた技能レベルに基づいて算出された値を用いることもできる。図５Ｂは、技能レベル値を重み付けして合計した値を作業スキルとする例を示す。図５Ｂは、個々の作業に関して各作業者に対する別途の評価（例えば、作業練磨表など）に基づいて付与された技能レベル値を用い、対応を要するとしてＳ３０２で特定された作業を行うのに必要な技能の組み合わせから、それぞれの技能レベル値を重み付けして合計又は平均した値を、作業スキルとして用いるものである。図５Ｂの例では、例えばＮｏ．３の作業が発生した場合に、作業錬磨表の「ＲＴＰ基礎」及び「品質異常処置」の項目におけるウェイトに基づいて、各作業者のスキルを算出する。作業者Ａ、作業者Ｂ、作業者Ｃ及び作業者Ｄの作業スキル値は、それぞれ、２．４、３．３、１．９及び１．０となる。したがって、最もスキルが高い作業者は作業者Ｂであり、最もスキルが低い作業者は作業者Ｄである。
【００４０】
本明細書の以下の説明においては、各々の作業者が過去において当該作業に対応した際に要した作業時間のうち最短の作業時間を作業スキルとして用いる場合を例として説明する。図３に戻ると、Ｓ３０３において未経験者がいないと判定され、複数の作業者の作業スキル情報を取得した後、作業スキル判定部１１６が、作業スキルの最も低い作業者を抽出する。なお、Ｓ３０３において未経験者がいると判定された場合の処理（Ｓ３０４）については後述する。
【００４１】
作業スキル判定部１１６によって低スキル作業者が抽出されると、作業者選定部１２４は、いずれかの作業者を、当該作業に対応する対応作業者として選定し、その作業者情報を出力する（Ｓ３０５）。出力された作業者情報は、例えば、各作業者が保持する携帯型情報端末や、設備Ｐに設けられたモニタなどに、表示することができる。これらの情報端末に出力された作業者は、設備Ｐにおいて発生した事象に対応して、必要な作業を行う（Ｓ３０６）。
【００４２】
作業を終えると、作業を行った対応作業者又はその管理者は、作業の詳細、作業時間等を含む作業完了情報を、例えば携帯型情報端末又は設備Ｐに設けられた入力端末から入力する（Ｓ３０７）。作業者選定システム１００の情報更新部１２６は、入力された作業完了情報を取得すると、この情報を用いて、記憶部に格納された作業情報、作業者情報、作業スキル情報のいずれか又はこれらの組み合わせを、必要に応じて更新する（Ｓ３０８）。あるいは、情報更新部１２６が、当該作業の開始時間及び終了時間、作業の詳細などを自動的に取得し、これらの情報を用いて、記憶部に格納された作業情報、作業者情報、作業スキル情報のいずれか又はこれらの組み合わせを更新するようにしてもよい。
【００４３】
作業未経験者判定部１１２が、Ｓ３０２で特定された作業について未経験者がいると判定した場合（Ｓ３０３）には、作業スキル判定部１１６が、当該未経験者に予め設定された仮作業スキルを作業者情報記憶部１０４から取得する。仮作業スキルとして設定される情報は、作業スキルとして用いられる指標に応じて設定することができる。過去において当該作業に対応した際に要した時間のうち最短の作業時間を作業スキルとして用いている本実施形態の場合であれば、当該未経験者の仮作業スキルとして、他の作業者が過去に当該作業を行ったときの作業時間のうち最も長い作業時間を設定することができる。あるいは、仮作業スキルとして、他の作業者が過去に最初に当該作業を行ったときの作業時間の平均値を設定することもできる。
【００４４】
未経験者の仮作業スキルは、上記のように予め設定しておき、作業スキル情報として作業スキル情報記憶部１０６に格納しておくこともできるが、作業者選定システム１００が自動的に設定することもできる。作業スキルとして最短時間が用いられる本実施形態の場合であれば、作業未経験者判定部１１２が、必要な作業について未経験者がいると判定したことに応答して、作業者選定システム１００が、作業者情報記憶部１０４から他の作業者が過去に当該作業を行ったときの作業時間を取得して比較し、最も長い作業時間を仮作業スキルとして設定、作業スキル情報記憶部１０６に格納することができる。
【００４５】
次に、作業に対応する作業者の選定に際して、その作業を実施する作業者の作業スキル向上可能性を考慮する場合の作業者選定処理を説明する。図６は、作業者選定処理において、作業者の作業スキル向上可能性を考慮した場合の処理フロー６００を示す。以下の説明においては、図３のフローと異なる部分について主に説明する。
【００４６】
本システムにおいては、作業を行う作業者として低スキル作業者を抽出する。ここで、複数の作業者からなるチーム全体のスキルの向上を考えれば、例えば同程度の作業スキルを有する複数の作業者がいる場合には、当該作業を行わせることによって作業スキルの向上が見込める作業者を選択することが望ましい。そこで、処理フロー６００では、抽出された作業者の当該作業における過去の作業スキルの変化を考慮して、作業スキル向上が可能であると判定される場合には当該作業者をそのまま抽出し、作業スキル向上が可能でなはいと判定される場合には別の作業者を抽出するようにする。
【００４７】
処理フロー６００のステップＳ６０６において、作業スキル向上可能性判定部１２２は、Ｓ６０５で選ばれた作業者の作業スキル向上可能性を判定する。作業スキルの向上可能性は、例えば当該作業者の過去における当該作業の作業時間（例えば、過去の複数回の作業にわたる作業時間や前回の作業の作業時間）の変化を求めることによって判定することができる。作業スキル向上可能性判定部１２２は、抽出された作業者の過去の複数回の作業時間を作業情報記憶部１０２から取得し、それらの作業時間を比較し、作業実施ごとに作業時間が短縮する傾向があれば、当該作業者のその作業における作業スキル向上が可能であると判定する。ただし、当該作業に対応する作業者の候補として初めて選択された作業者、又は選択されるのが２回目の作業者については、仮作業スキル又は過去１回の作業スキルの情報しか存在しないため、作業スキルの向上可能性の判定ができない。したがって、Ｓ６０６においては、初回又は２回目の作業者は、当該作業における作業スキルの向上が可能であると判定される。
【００４８】
一方、作業スキル向上可能性判定部１２２は、抽出された作業者の過去の複数回の作業時間を比較し、作業実施ごとに作業時間が短縮する傾向がなければ、当該作業者のその作業における作業スキル向上が可能ではないと判定する。この場合には、作業スキル判定部１１６が、複数の作業者のうち当該作業者を除く他の作業者の中で作業スキルの最も低い別の低スキル作業者を抽出する（Ｓ６０７、Ｓ６０８、Ｓ６０５）。この作業者についても同様に、作業スキル向上可能性判定部１２２が、作業スキルの向上可能性の判定を行う。
【００４９】
Ｓ６０５からＳ６０８のステップを繰り返した結果、Ｓ６０８において作業者候補が残っていないと判定された場合には、作業者選定部１２４は、すべての作業者のうちから何らかの選定基準にしたがって、当該作業に対応する対応作業者を選定する（Ｓ６０９）。このときの選定方法としては、特に限定されるものではなく、例えば、すべての作業者の中で最も作業スキルの高い作業者を選定したり、すべての作業者の中で当該作業が必要な箇所に最も近い場所にいる作業者を選定したりすることができる。
【００５０】
次に、作業に対応する作業者の選定に際して、その作業を実施する作業者の作業スキル向上可能性を考慮した上で、作業スキル向上が可能ではないと判定される場合には、作業スキルの高い高スキル作業者、すなわち「教育者」の指導のもとで、抽出された作業者（低スキル作業者）に作業を行わせるようにする場合の作業者選定処理を説明する。図７Ａは、処理フロー７００Ａを示す。この処理においては、抽出された作業者と教育者との組み合わせが当該作業と同じ前回作業に対応したときと同じ組み合わせのときには、別の作業者（低スキル作業者）を選定するようになっている。以下の説明においては、図６の処理フローと異なる部分について主に説明する。
【００５１】
処理フロー７００ＡのＳ７０６Ａにおいて、作業スキル向上可能性判定部１２２が、当該作業者の作業スキル向上が可能ではないと判定した場合には、作業スキル判定部１２２は、抽出された作業者以外の複数の作業者の中で、当該作業者より作業スキルの高い者がいるかどうかを確認（Ｓ７０７Ａ）し、複数の作業者のうちで最も作業スキルの高い高スキル作業者を抽出する（Ｓ７０８Ａ）。ここで抽出された高スキル作業者は、単独での作業では作業スキル向上が可能ではないと判定された低スキル作業者の教育者となり得る。この教育者と低スキル作業者とがともに作業を行うことによって、低スキル作業者の作業スキルの向上が期待される。
【００５２】
ここで対応作業者を選定しようとしている作業と同じ作業に対応した過去の直近の作業時に、作業者及び教育者の組み合わせが、ここで抽出された組み合わせと同じであった場合には、当該作業者は、同じ教育者との組み合わせで当該作業を行ったことがあるにもかかわらず、成長していないことになる。このようなときでもさらに同じ組み合わせを許容すると、仮に今回の作業で当該作業者が成長しなかった場合には、次回の同じ作業でも同じ組み合わせが抽出されることになり、結果として他の作業者のスキル向上が実現されない怖れがある。こうした問題の発生を防止するために、抽出された作業者と教育者との組み合わせが、当該作業と同じ前回の作業への対応時における組み合わせと同じであるかどうかを判定し（Ｓ７０９Ａ）、同じ組み合わせの場合は作業者を選び直すこととする。同じ組み合わせではない場合は、次の処理に進む。
【００５３】
さらに、Ｓ７０９Ａにおいて同じ組み合わせではないと判定された場合であっても、組み合わされた作業者と教育者との間で作業スキルの差が小さい場合には、教育者による教育の効果が見込めない可能性がある。したがって、この場合には、作業者を選び直すことによって、低スキル作業者の作業スキル向上を目指すことが好ましい。
【００５４】
Ｓ７１１Ａにおいて、作業スキル判定部１１６は、Ｓ７０９Ａにおいて同じ組み合わせではないと判定された作業者と教育者との間における作業スキルの差を求める。過去において作業に対応した際に要した作業時間のうち最短の作業時間を作業スキルとして用いている本実施形態の場合であれば、作業スキルの差は、両者の最短作業時間の差とすることができる。その差が規定値（所定の基準）以上の場合には、教育者の教育効果が見込めるものとして、Ｓ７０５Ａで選ばれた作業者とＳ７０８Ａで教育者として選ばれた作業者とを、最終的に抽出する。作業者選定部１２４は、両者をいずれも対応作業者として選定する。なお、ここではＳ７０９Ａの判定の後にＳ７１１Ａの判定を行っているが、これらの判定順を逆にしてもよい。
【００５５】
一方、抽出された作業者と教育者との組み合わせが、当該作業と同じ前回の作業への対応時における組み合わせと同じである場合、又は、組み合わされた作業者と教育者との間で求められた作業スキルの差が規定値より小さい場合には、作業スキル判定部１１６が、複数の作業者のうち当該作業者を除く他の作業者（作業者候補）の中で作業スキルの最も低い別の低スキル作業者を抽出する（Ｓ７１２Ａ、Ｓ７１３Ａ、Ｓ７０５Ａ）。この作業者についても同様に、作業スキル向上可能性判定部１２２が、作業スキルの向上可能性の判定を行う（Ｓ７０６Ａ）。この場合、Ｓ７１３Ａにおいて判定の対象となる作業者候補には、Ｓ７０８Ａで教育者として抽出された作業者も含まれ、再びＳ７０７Ａ及びＳ７０８Ａの処理が行われる際には、その作業者が再度教育者として選択される場合がある。
【００５６】
次に、作業に対応する作業者の選定に際して、その作業を実施する作業者の作業スキル向上可能性を考慮する場合の別の作業者選定処理を説明する。図７Ｂは、処理フロー７００Ｂを示す。処理フロー７００Ａにおいては、抽出された作業者と教育者との組み合わせが、当該作業と同じ前回の作業への対応時における組み合わせと同じであるときには、別の作業者（低スキル作業者）を選定するが、処理フロー７００Ｂにおいては、抽出された作業者と教育者との組み合わせが同じ組み合わせのときには、別の教育者（高スキル作業者）を選定するようになっている。以下の説明においては、図７Ａの処理フロー７００Ａと異なる部分について説明する。
【００５７】
処理フロー７００Ｂにおいては、抽出された作業者と教育者との組み合わせが、当該作業と同じ前回の作業への対応時における組み合わせと同じであるかどうかを判定し（Ｓ７０９Ｂ）、同じ組み合わせではない場合には次の処理（Ｓ７１１Ｂ）に進む点では処理フロー７００Ａと同様であるが、同じ組み合わせとなった場合には教育者を選び直すものとする。同じ組み合わせとなった場合は、Ｓ７０８Ｂで抽出された教育者を選択肢から外し（Ｓ７１０Ｂ）、それ以外の複数の作業者の中で、Ｓ７０５Ｂで抽出された当該作業者より作業スキルの高い作業者がいるかどうかを再び確認し（Ｓ７０７Ｂ）、最も作業スキルの高い高スキル作業者を、最初に抽出された教育者とは別の教育者として抽出する（Ｓ７０８Ｂ）。これらの処理は、異なる組み合わせが出現するまで繰り返される。これにより、同じ組み合わせが連続することによって他の作業者の成長が実現できない問題を防止することができる。なお、ここではＳ７０９Ｂの判定の後にＳ７１１Ｂの判定を行っているが、処理フロー７００Ａの場合と同様に、これらの判定順も逆にしてもよい。
【００５８】
次に、作業に対応する作業者の選定に際して、その作業の実施に許容される時間を考慮する場合の作業者選定処理を説明する。図８は、作業者選定処理において、作業に許容される時間を考慮した場合の処理フロー８００を示す。以下の説明においては、図３のフロー３００と異なる部分について主に説明する。
【００５９】
図３の処理フロー３００では、作業を必要とする事象が発生したときに、当該作業について複数の作業者の作業スキルを判定し、作業スキルの最も低い作業者を、当該作業を行う作業者として抽出する。しかしながら、作業を行うことが必要な何らかの事象が発生したときには、設備Ｐの稼働停止を要する場合があり、稼働が停止している間は物品の生産が停止することになる。したがって、作業スキルの低い作業者が当該作業を完了するまでに時間がかかるために必要な生産量の未達成が生じる可能性がある場合には、その作業者に当該作業を行わせることはできず、より短時間で作業を行うことができる作業者に作業を行わせる必要がある。そこで、処理フロー８００では、設備Ｐの稼働を停止しても必要な生産計画を達成する事が可能な許容時間と、抽出された作業者が当該作業を行うのに必要な作業時間とを比較して、当該作業者が、許容時間内に作業を完了することができるかどうかを判定し、当該作業者の作業時間が許容時間（作業を行うために許容される停止可能時間）を上回る場合には、別の作業者を抽出するようにする。
【００６０】
処理フロー８００のステップＳ８０３において、Ｓ８０２で特定された作業について未経験者がいないと判定された場合に、作業者選定システム１００の作業許容時間算出部１１８は、作業のための許容時間を算出する（Ｓ８０５）。なお、許容時間の算出は、この時点で行われることに限定されるものではなく、例えば、Ｓ８０６において作業スキルの最も低い作業者が抽出された後に算出してもよい。
【００６１】
図９は、許容時間の算出の考え方の一例を示す。図９において、横軸は時間を表し、縦軸は物品の生産量を表す。例えば、設備において必要な作業が発生した時点で設備の稼働を停止し、一定の停止時間後に生産を再開し、その後、停止前の生産状況と同じ状況で生産を行えば生産締日までに生産計画を達成可能であると想定される場合は、その一定の停止時間を「許容時間」とすることができる。許容時間は、作業発生時にそれまでの生産実績が生産計画において規定される生産量を上回っていれば、より長くすることができる。また、許容時間として算出される時間は、例えば、作業再開後における生産量の予想推移を作業開始前の生産量の推移に対してどの程度に設定するか、生産の安全度をどの程度見込むか、設備の生産能力に対して生産計画がどの程度の余裕度を有するかなどの条件に応じて、変化することになる。
【００６２】
例えば図９に示される考え方に基づいて算出された許容時間は、作業完了可能性判定部１２０に渡され、作業完了可能性判定部１２０は、Ｓ８０６で抽出された低スキル作業者の当該作業についての最短作業時間と許容時間とを比較する（Ｓ８０７）。比較の結果、最短作業時間が許容時間より短い場合には、作業完了可能性判定部１２０は、低スキル作業者が当該作業を完了することができるものと判定し、作業者選定部１２４は、その低スキル作業者を、当該作業に対応する対応作業者として選定する。
【００６３】
一方、許容時間が低スキル作業者の当該作業についての最短作業時間と比較された（Ｓ８０７）結果、最短作業時間が許容時間以上の場合には、作業完了可能性判定部１２０は、当該作業者では許容時間内に作業を完了することができないと判断する。この場合には、作業スキル判定部１１６が、複数の作業者のうち当該作業者を除く他の作業者の中で作業スキルの最も低い別の低スキル作業者を抽出する（Ｓ８０８、Ｓ８０９、Ｓ８０６）。この作業者についても同様に、作業完了可能性判定部１２０が、許容時間と最短作業時間との比較を行う（Ｓ８０７）。
【００６４】
Ｓ８０６からＳ８０９のステップを繰り返した結果、Ｓ８０９において作業候補者が残っていないと判定された場合には、可能な限り短い時間で作業を完了させることができるように、作業者選定部１２４は、すべての作業者の中で最も作業時間の短い作業者を当該作業の対応作業者として選定する（Ｓ８１０）。
【００６５】
次に、作業に対応する作業者の選定に際して、その作業の実施に許容される時間と、その作業を実施する作業者の作業スキル向上可能性とを考慮する場合の作業者選定処理を説明する。図１０は、作業者選定処理において、作業の許容時間と作業スキル向上可能性とをいずれも考慮した場合の処理フロー１０００を示す。以下の説明においては、図８の処理フロー８００と異なる部分について主に説明する。
【００６６】
処理フロー１０００のステップＳ１００７において、抽出された低スキル作業者が許容時間内に当該作業を完了することができると判定された場合には、次に、作業スキル向上可能性判定部１２２が、当該低スキル作業者の作業スキル向上可能性を判定する（Ｓ１００８）。作業スキル向上可能性の考え方は、図６の処理フロー６００の説明において上述されている。Ｓ１００８において低スキル作業者の作業スキルの向上が可能であると判定された場合には、作業スキル判定部１１６はその低スキル作業者を抽出し、作業者選定部１２４は、抽出された低スキル作業者を、当該作業に対応する対応作業者として選定する。
【００６７】
一方、ステップＳ１００７において低スキル作業者が当該作業を終えられないと判定された場合、又は、Ｓ１００８において当該作業者の作業スキル向上が可能ではないと判定された場合には、作業スキル判定部１１６が、複数の作業者のうち当該作業者を除く他の作業者の中で作業スキルの最も低い別の低スキル作業者を抽出する（Ｓ１００９、Ｓ１０１０、Ｓ１００６）。この作業者についても同様に、作業完了可能性判定部１２０が作業完了可能性を判定し、作業スキル向上可能性判定部１２２が作業スキル向上可能性を判定する。
【００６８】
なお、処理フロー１０００においては、Ｓ１００６において抽出された低スキル作業者について、Ｓ１００７で作業完了可能性を判定し、Ｓ１００８で作業スキルの向上可能性を判定しているが、これらの判定を行う順序は逆であってもよい。
【００６９】
次に、作業に対応する作業者の選定に際して、その作業の実施に許容される時間と、その作業を実施する作業者の作業スキル向上可能性とを考慮した上で、許容時間内での作業完了は可能であるが作業スキル向上が可能ではないと判定される場合には、作業スキルの高い高スキル作業者、すなわち「教育者」の指導のもとで、抽出された作業者（低スキル作業者）に作業を行わせるようにする場合の作業者選定処理を説明する。図１１Ａは、処理フロー１１００Ａを示す。この処理においては、抽出された作業者と教育者との組み合わせが当該作業と同じ前回作業に対応したときと同じ組み合わせのときには、別の作業者（低スキル作業者）を選定するようになっている。以下の説明においては、図７Ａの処理フロー７００Ａと異なる部分について主に説明する。
【００７０】
図７Ａの処理フロー７００Ａでは、抽出された低スキル作業者について、当該作業における作業スキル向上可能性が判定された。処理フロー１１００Ａにおいては、抽出された低スキル作業者の作業スキル向上可能性を判定する前に、当該作業者が許容時間内に作業を完了することができるかどうかを判定する（Ｓ１１０７Ａ）。許容時間は、Ｓ１１０５Ａで求められる。許容時間の考え方、及び当該作業者が許容時間内に作業を完了できないと判定された場合の処理については、図８の処理フロー８００においてすでに説明されている。
【００７１】
Ｓ１１０７Ａにおいて当該作業者が許容時間内に作業を完了することができると判定された場合には、次に、当該作業者の作業スキル向上可能性が判定される（Ｓ１１０８Ａ）。作業スキル向上が可能であると判定された場合には、当該作業者が対応作業者として選定される。しかし、作業スキル向上が可能ではないと判定された場合には、作業スキル判定部１２２は、抽出された作業者以外の複数の作業者の中で、当該作業者より作業スキルの高い作業者がいるかどうかを確認（Ｓ１１０９Ａ）し、複数の作業者のうちで最も作業スキルの高い高スキル作業者を抽出し、この作業者を、単独での作業では作業スキル向上が可能ではないと判定された作業者の教育者とする。この場合におけるＳ１１０９Ａ〜Ｓ１１１５Ａの処理は、図７Ａの処理フロー７００ＡにおけるＳ７０７Ａ〜Ｓ７１３Ａの処理と同じである。
【００７２】
Ｓ１１０７Ａにおいて  許容時間が低スキル作業者の当該作業についての最短作業時間と比較された結果、最短作業時間が許容時間以上の場合には、作業完了可能性判定部１２０は、当該作業者では許容時間内に作業を完了することができないと判断する。この場合には、作業スキル判定部１１６が、複数の作業者のうち当該作業者を除く他の作業者の中で作業スキルの最も低い別の低スキル作業者を抽出する（Ｓ１１１４Ａ、Ｓ１１１５Ａ、Ｓ１１０６Ａ）。この作業者についても許容時間と最短作業時間との比較が行われる（Ａ１１０７Ａ）。
【００７３】
Ｓ１１０６ＡからＳ１１１５Ａのステップを繰り返した結果、Ｓ１１１５Ａにおいて作業者候補が残っていないと判定された場合には、可能な限り短い時間で作業を完了させることができるように、作業者選定部１２４は、すべての作業者の中で最も作業時間の短い作業者を当該作業の対応作業者として選定する（Ｓ１１１６Ａ）。
【００７４】
次に、作業に対応する作業者の選定に際して、その作業の実施に許容される時間と、その作業を実施する作業者の作業スキル向上可能性とを考慮する場合の別の作業者選定処理を説明する。図１１Ｂは、処理フロー１１００Ｂを示す。処理フロー１１００Ａにおいては、抽出された作業者と教育者との組み合わせが、当該作業と同じ前回の作業への対応時における組み合わせと同じであるときには、別の作業者（低スキル作業者）を選定するが、処理フロー１１００Ｂにおいては、抽出された作業者と教育者との組み合わせが同じ組み合わせのときには、別の教育者（高スキル作業者）を選定するようになっている。以下の説明においては、図１１Ａの処理フロー１１００Ａと異なる部分について説明する。
【００７５】
処理フロー１１００Ｂにおいては、抽出された作業者と教育者との組み合わせが、当該作業と同じ前回の作業への対応時における組み合わせと同じであるかどうかを判定し（Ｓ１１１１Ｂ）、同じ組み合わせではない場合には次の処理（Ｓ１１１３Ｂ）に進む点では処理フロー１１００Ａと同様であるが、同じ組み合わせとなった場合には教育者を選び直すものとする。同じ組み合わせとなった場合は、Ｓ１１１０Ｂで抽出された教育者を選択肢から外し（Ｓ１１１２Ｂ）、それ以外の複数の作業者の中で、Ｓ１１０６Ｂで抽出された当該作業者より作業スキルの高い作業者がいるかどうかを再び確認し（Ｓ１１０９Ｂ）、最も作業スキルの高い高スキル作業者を、最初に抽出された教育者とは別の教育者として抽出する（Ｓ１１１０Ｂ）。これらの処理は、異なる組み合わせが出現するまで繰り返される。
【００７６】
以上、詳細に説明したとおり、本発明によれば、設備において必要となる種々の作業について、低スキル者の作業スキルを早期に向上させることができるだけでなく、高スキル者も作業スキルをさらに向上させることができる。また、設備の運転に当たる複数の作業者からなる作業チーム全体としての作業スキルを向上させることができる。
【図１】
2020091505.tif 000003
【図２】
2020091505.tif 000004
【図３】
2020091505.tif 000005
【図４】
2020091505.tif 000006
【図５Ａ】
2020091505.tif 000007
【図５Ｂ】
2020091505.tif 000008
【図６】
2020091505.tif 000009
【図７Ａ】
2020091505.tif 000010
【図７Ｂ】
2020091505.tif 000011
【図８】
2020091505.tif 000012
【図９】
2020091505.tif 000013
【図１０】
2020091505.tif 000014
【図１１Ａ】
2020091505.tif 000015
【図１１Ｂ】
2020091505.tif 000016
【手続補正書】
【提出日】令和2年2月6日(2020.2.6)
【手続補正１】
【補正対象書類名】特許請求の範囲
【補正対象項目名】全文
【補正方法】変更
【補正の内容】
【特許請求の範囲】
【請求項１】
設備における必要な作業に対応する作業者を複数の作業者の中から自動的に選定するための作業者選定システムであって、
設備における必要な作業に関する情報である作業情報と、複数の作業者の情報と各々の作業者が過去に行った作業に関する情報とを含む作業者情報と、前記作業に対応する前記複数の作業者の当該作業に対する作業スキルに関する情報である作業スキル情報とを格納した記憶部と、
対応が必要な作業の発生時に、前記作業情報と、前記作業者情報と、前記作業スキル情報とを前記記憶部から取得し、複数の作業者間の当該作業に対する作業スキルの高低を判定し、複数の作業者のうち作業スキルの最も低い低スキル作業者を抽出する、作業スキル判定部と、
前記作業スキル判定部によって抽出された前記低スキル作業者について、前記低スキル作業者の前記作業に対する過去の作業スキルの変化を求め、その変化に基づいて作業スキルの向上可能性を判定する、作業スキル向上可能性判定部と、
前記作業スキル向上可能性判定部によって前記低スキル作業者の作業スキル向上が可能であると判定された場合に、抽出された前記低スキル作業者を前記作業への対応作業者として選定し、該対応作業者の作業者情報を出力する、作業者選定部と、
前記作業者選定部によって選定された前記対応作業者が対応した作業の結果に基づいて、前記記憶部の前記作業情報、前記作業者情報、及び前記作業スキル情報のいずれか又はこれらの組み合わせを更新する情報更新部と
を有することを特徴とする作業者選定システム。
【請求項２】
前記作業スキル判定部によって抽出された前記低スキル作業者について、前記作業スキル向上可能性判定部によって作業スキル向上が可能ではないと判定された場合には、前記作業スキル判定部は、前記複数の作業者のうち前記低スキル作業者を除く他の作業者の中で作業スキルの最も低い別の低スキル作業者を抽出する
請求項１に記載の作業者選定システム。
【請求項３】
前記作業スキル判定部によって抽出された前記低スキル作業者について、前記作業スキル向上可能性判定部によって作業スキル向上が可能ではないと判定された場合には、前記作業スキル判定部は、前記低スキル作業者と、前記複数の作業者のうち前記低スキル作業者を除く他の作業者の中で作業スキルの最も高い高スキル作業者とを、いずれも作業者として抽出する、
請求項１に記載の作業者選定システム。
【請求項４】
前記作業スキル判定部は、
前記低スキル作業者と前記高スキル作業者との組み合わせが当該作業と同じ前回の作業に対応したときと同じ組み合わせであるかどうか、及び／又は、前記高スキル作業者の作業スキルと前記低スキル作業者の作業スキルとの差が所定の基準以上であるかどうかを判定して、
組み合わせが当該作業と同じ前回の作業に対応したときと同じ組み合わせではなく、前記差が所定の基準以上である場合には、前記低スキル作業者と前記高スキル作業者とをいずれも作業者として抽出し、
組み合わせが当該作業と同じ前回の作業に対応したときと同じ組み合わせであるか、又は前記差が所定の基準より低い場合には、前記複数の作業者のうち前記低スキル作業者を除く他の作業者の中で作業スキルの最も低い別の低スキル作業者を抽出する、
請求項３に記載の作業者選定システム。
【請求項５】
前記作業スキル判定部は、
前記低スキル作業者と前記高スキル作業者との組み合わせが当該作業と同じ前回の作業に対応したときと同じ組み合わせであるかどうか、及び／又は、前記高スキル作業者の作業スキルと前記低スキル作業者の作業スキルとの差が所定の基準以上であるかどうかを判定して、
組み合わせが当該作業と同じ前回の作業に対応したときと同じ組み合わせである場合には、前記複数の作業者のうち前記高スキル作業者を除く他の作業者の中で作業スキルの最も高い別の高スキル作業者を選び、該別の高スキル作業者と前記低スキル作業者との組み合わせが、当該作業と同じ前回の作業に対応したときと同じ組み合わせであるかどうかを判定する処理を繰り返し、
組み合わせが当該作業と同じ前回の作業に対応したときと同じ組み合わせではなく、前記差が所定の基準以上である場合には、前記低スキル作業者と前記高スキル作業者とをいずれも作業者として抽出し、
前記差が所定の基準より低い場合には、前記複数の作業者のうち前記低スキル作業者を除く他の作業者の中で作業スキルの最も低い別の低スキル作業者を抽出する、
請求項３に記載の作業者選定システム。
【請求項６】
前記作業スキル判定部が、前記複数の作業者のうち前記低スキル作業者を除く他の作業者を抽出できない場合には、前記作業者選定部は、前記複数の作業者の中から所定の選定基準を満たすいずれかの作業者を選定する、
請求項２、請求項４、又は請求項５のいずれか１項に記載の作業者選定システム。
【請求項７】
設備における必要な作業に対応する作業者を複数の作業者の中から自動的に選定するための作業者選定システムであって、
設備における必要な作業に関する情報である作業情報と、複数の作業者の情報と各々の作業者が過去に行った作業に関する情報とを含む作業者情報と、前記作業に対応する前記複数の作業者の当該作業に対する作業スキルに関する情報である作業スキル情報と、設備によって生産される物品の生産関連情報とを格納した記憶部と、
対応が必要な作業の発生時に、前記生産関連情報を前記記憶部から取得し、前記作業を行うために設備の稼働を停止しても生産計画を達成することができる許容時間を算出する作業許容時間算出部と、
対応が必要な作業の発生時に、前記作業情報と、前記作業者情報と、前記作業スキル情報とを前記記憶部から取得し、複数の作業者間の当該作業に対する作業スキルの高低を判定し、複数の作業者のうち作業スキルの最も低い低スキル作業者を抽出する、作業スキル判定部と、
前記作業スキル判定部によって抽出された前記低スキル作業者が、前記許容時間内に当該作業を完了することができるかどうかを判定する、作業完了可能性判定部と、
前記作業完了可能性判定部によって前記低スキル作業者が当該作業を完了することができると判定された場合には、抽出された前記低スキル作業者を前記作業への対応作業者として選定し、該対応作業者の作業者情報を出力する、作業者選定部と、
前記作業者選定部によって選定された前記対応作業者が対応した作業の結果に基づいて、前記記憶部の前記作業情報、前記作業者情報、及び前記作業スキル情報のいずれか又はこれらの組み合わせを更新する情報更新部と
を有することを特徴とする作業者選定システム。
【請求項８】
前記作業スキル判定部によって抽出された前記低スキル作業者について、前記低スキル作業者の前記作業に対する過去の作業スキルの変化を求め、その変化に基づいて作業スキルの向上可能性を判定する、作業スキル向上可能性判定部をさらに有し、
前記作業完了可能性判定部によって前記低スキル作業者が当該作業を完了することができると判定され、かつ、前記作業スキル向上可能性判定部によって前記低スキル作業者の作業スキル向上が可能であると判定された場合には、前記作業者選定部は、前記低スキル作業者を前記対応作業者として選定する、
請求項７に記載の作業者選定システム。
【請求項９】
前記作業完了可能性判定部よって前記低スキル作業者が前記作業を完了することができないと判定された場合又は前記作業スキル向上可能性判定部によって前記低スキル作業者の作業スキル向上が可能ではないと判定された場合には、前記作業スキル判定部は、前記複数の作業者のうち前記低スキル作業者を除く他の作業者の中で作業スキルの最も低い別の低スキル作業者を抽出する
請求項７又は請求項８に記載の作業者選定システム。
【請求項１０】
前記作業スキル判定部によって抽出された前記低スキル作業者について、前記作業スキル向上可能性判定部によって作業スキル向上が可能ではないと判定された場合には、前記作業スキル判定部は、前記低スキル作業者と、前記複数の作業者のうち前記低スキル作業者を除く他の作業者の中で作業スキルの最も高い高スキル作業者とを、いずれも作業者として抽出する、
請求項８に記載の作業者選定システム。
【請求項１１】
前記作業スキル判定部は、
前記低スキル作業者と前記高スキル作業者との組み合わせが当該作業と同じ前回の作業に対応したときと同じ組み合わせであるかどうか、及び／又は、前記高スキル作業者の作業スキルと前記低スキル作業者の作業スキルとの差が所定の基準以上であるかどうかを判定して、
組み合わせが当該作業と同じ前回の作業に対応したときと同じ組み合わせではなく、前記差が所定の基準以上である場合には、前記低スキル作業者と前記高スキル作業者とをいずれも作業者として抽出し、
組み合わせが当該作業と同じ前回の作業に対応したときと同じ組み合わせであるか、又は前記差が所定の基準より低い場合には、前記複数の作業者のうち前記低スキル作業者を除く他の作業者の中で作業スキルの最も低い別の低スキル作業者を抽出する、
請求項１０に記載の作業者選定システム。
【請求項１２】
前記作業スキル判定部は、
前記低スキル作業者と前記高スキル作業者との組み合わせが当該作業と同じ前回の作業に対応したときと同じ組み合わせであるかどうか、及び／又は、前記高スキル作業者の作業スキルと前記低スキル作業者の作業スキルとの差が所定の基準以上であるかどうかを判定して、
組み合わせが当該作業と同じ前回の作業に対応したときと同じ組み合わせである場合には、前記複数の作業者のうち前記高スキル作業者を除く他の作業者の中で作業スキルの最も高い別の高スキル作業者を選び、該別の高スキル作業者と前記低スキル作業者との組み合わせが、当該作業と同じ前回の作業に対応したときと同じ組み合わせであるかどうかを判定する処理を繰り返し、
組み合わせが当該作業と同じ前回の作業に対応したときと同じ組み合わせではなく、前記差が所定の基準以上である場合には、前記低スキル作業者と前記高スキル作業者とをいずれも作業者として抽出し、
前記差が所定の基準より低い場合には、前記複数の作業者のうち前記低スキル作業者を除く他の作業者の中で作業スキルの最も低い別の低スキル作業者を抽出する、
請求項１０に記載の作業者選定システム。
【請求項１３】
前記作業スキル判定部が、前記複数の作業者のうち前記低スキル作業者を除く他の作業者を抽出できない場合には、前記作業者選定部は、前記複数の作業者の中から、過去において当該作業に対応した際に要した時間のうち最短の作業時間が最も短い作業者を選定する、
請求項９、請求項１１又は請求項１２のいずれか１項に記載の作業者選定システム。
【請求項１４】
前記複数の作業者の中に前記作業を行った経験のない作業者がいるかどうかを判定し、当該作業者がいる場合にはその作業者に前記作業に対する仮作業スキルを設定する、作業未経験者判定部をさらに含む、請求項１から請求項１３までのいずれか１項に記載の作業者選定システム。
【請求項１５】
設備における必要な作業に対応する作業者を複数の作業者の中から自動的に選定するための作業者選定方法であって、
対応が必要な作業が発生したときに、設備における必要な作業に関する情報である作業情報と、複数の作業者の情報とその作業者が過去に行った作業の情報とを含む作業者情報と、前記複数の作業者の当該作業に対する作業スキルに関する情報である作業スキル情報とを取得し、複数の作業者間の当該作業に対する作業スキルの高低を判定し、複数の作業者のうち作業スキルの最も低い低スキル作業者を抽出する、作業スキル判定ステップと、
前記作業スキル判定ステップにおいて抽出された前記低スキル作業者について、前記低スキル作業者の前記作業に対する過去の作業スキルの変化を求め、その変化に基づいて作業スキルの向上可能性を判定する、作業スキル向上可能性判定ステップと、
前記作業スキル向上可能性判定ステップにおいて前記低スキル作業者の作業スキル向上が可能であると判定された場合に、抽出された前記低スキル作業者を前記作業への対応作業者として選定し、該対応作業者の作業者情報を出力する、作業者選定ステップと、
前記作業者選定ステップによって選定された前記対応作業者が対応した作業の結果に基づいて、前記作業情報、前記作業者情報、及び前記作業スキル情報のいずれか又はこれらの組み合わせを更新する情報更新ステップと
を含むことを特徴とする作業者選定方法。
【請求項１６】
前記作業スキル判定ステップにおいて抽出された前記低スキル作業者について、前記作業スキル向上可能性判定ステップにおいて作業スキル向上が可能ではないと判定された場合には、前記作業スキル判定ステップにおいて、前記複数の作業者のうち前記低スキル作業者を除く他の作業者の中で作業スキルの最も低い別の低スキル作業者を抽出する
請求項１５に記載の作業者選定方法。
【請求項１７】
前記作業スキル判定ステップにおいて抽出された前記低スキル作業者について、前記作業スキル向上可能性判定ステップにおいて作業スキル向上が可能ではないと判定された場合には、前記作業スキル判定ステップにおいて、前記低スキル作業者と、前記複数の作業者のうち前記低スキル作業者を除く他の作業者の中で作業スキルの最も高い高スキル作業者とを、いずれも作業者として抽出する、
請求項１５に記載の作業者選定方法。
【請求項１８】
前記作業スキル判定ステップにおいて、
前記低スキル作業者と前記高スキル作業者との組み合わせが当該作業と同じ前回の作業に対応したときと同じ組み合わせであるかどうか、及び／又は、前記高スキル作業者の作業スキルと前記低スキル作業者の作業スキルとの差が所定の基準以上であるかどうかを判定して、
組み合わせが当該作業と同じ前回の作業に対応したときと同じ組み合わせではなく、前記差が所定の基準以上である場合には、前記低スキル作業者と前記高スキル作業者とをいずれも作業者として抽出し、
組み合わせが当該作業と同じ前回の作業に対応したときと同じ組み合わせであるか、又は前記差が所定の基準より低い場合には、前記複数の作業者のうち前記低スキル作業者を除く他の作業者の中で作業スキルの最も低い別の低スキル作業者を抽出する、
請求項１７に記載の作業者選定方法。
【請求項１９】
前記作業スキル判定ステップにおいて、
前記低スキル作業者と前記高スキル作業者との組み合わせが当該作業と同じ前回の作業に対応したときと同じ組み合わせであるかどうか、及び／又は、前記高スキル作業者の作業スキルと前記低スキル作業者の作業スキルとの差が所定の基準以上であるかどうかを判定して、
組み合わせが当該作業と同じ前回の作業に対応したときと同じ組み合わせである場合には、前記複数の作業者のうち前記高スキル作業者を除く他の作業者の中で作業スキルの最も高い別の高スキル作業者を選び、該別の高スキル作業者と前記低スキル作業者との組み合わせが、当該作業と同じ前回の作業に対応したときと同じ組み合わせであるかどうかを判定する処理を繰り返し、
組み合わせが当該作業と同じ前回の作業に対応したときと同じ組み合わせではなく、前記差が所定の基準以上である場合には、前記低スキル作業者と前記高スキル作業者とをいずれも作業者として抽出し、
前記差が所定の基準より低い場合には、前記複数の作業者のうち前記低スキル作業者を除く他の作業者の中で作業スキルの最も低い別の低スキル作業者を抽出する、
請求項１７に記載の作業者選定方法。
【請求項２０】
前記作業スキル判定ステップにおいて、前記複数の作業者のうち前記低スキル作業者を除く他の作業者を選定できない場合には、前記作業者選定ステップにおいて、前記複数の作業者の中から所定の選定基準を満たすいずれかの作業者を選定する
請求項１６、請求項１８又は請求項１９のいずれか１項に記載の作業者選定方法。
【請求項２１】
設備における必要な作業に対応する作業者を複数の作業者の中から自動的に選定するための作業者選定方法であって、
対応が必要な作業が発生したときに、設備によって生産される物品の生産関連情報を取得し、前記作業を行うために設備の稼働を停止しても生産計画を達成することができる許容時間を算出する許容時間算出ステップと、
対応が必要な作業が発生したときに、設備における必要な作業に関する情報である作業情報と、複数の作業者の情報とその作業者が過去に行った作業の情報とを含む作業者情報と、前記複数の作業者の当該作業に対する作業スキルに関する情報である作業スキル情報とを取得し、複数の作業者間の当該作業に対する作業スキルの高低を判定し、複数の作業者のうち作業スキルの最も低い低スキル作業者を抽出する、作業スキル判定ステップと、
前記作業スキル判定ステップにおいて抽出された前記低スキル作業者が、前記許容時間内に当該作業を完了することができるかどうかを判定する、作業完了可能性判定ステップと、
前記作業完了可能性判定ステップにおいて前記低スキル作業者が当該作業を完了することができると判定された場合には、抽出された前記低スキル作業者を前記作業への対応作業者として選定し、該対応作業者の作業者情報を出力する、作業者選定ステップと、
前記作業者選定ステップにおいて選定された前記対応作業者が対応した作業の結果に基づいて、前記記憶部の前記作業情報、前記作業者情報、及び前記作業スキル情報のいずれか又はこれらの組み合わせを更新する情報更新ステップと
を含むことを特徴とする作業者選定方法。
【請求項２２】
前記作業スキル判定ステップにおいて抽出された前記低スキル作業者について、前記低スキル作業者の前記作業に対する過去の作業スキルの変化を求め、その変化に基づいて作業スキルの向上可能性を判定する、作業スキル向上可能性判定ステップをさらに含み、
前記作業完了可能性判定ステップにおいて前記低スキル作業者が当該作業を完了することができると判定され、かつ、前記作業スキル向上可能性判定ステップにおいて前記低スキル作業者の作業スキル向上が可能であると判定された場合には、前記作業者選定ステップは、前記低スキル作業者を前記対応作業者として選定する、
請求項２１に記載の作業者選定方法。
【請求項２３】
前記作業完了可能性判定ステップにおいて前記低スキル作業者が前記作業を完了することができないと判定された場合又は前記作業スキル向上可能性判定ステップにおいて前記低スキル作業者の作業スキル向上が可能ではないと判定された場合には、前記作業スキル判定ステップにおいて、前記複数の作業者のうち前記低スキル作業者を除く他の作業者の中で作業スキルの最も低い別の低スキル作業者を抽出する
請求項２１又は請求項２２に記載の作業者選定方法。
【請求項２４】
前記作業スキル判定ステップにおいて抽出された前記低スキル作業者について、前記作業スキル向上可能性判定ステップにおいて作業スキル向上が可能ではないと判定された場合には、前記作業スキル判定ステップにおいて、前記低スキル作業者と、前記複数の作業者のうち前記低スキル作業者を除く他の作業者の中で作業スキルの最も高い高スキル作業者とを、いずれも作業者として抽出する、
請求項２２に記載の作業者選定方法。
【請求項２５】
前記作業スキル判定ステップにおいて、
前記低スキル作業者と前記高スキル作業者との組み合わせが当該作業と同じ前回の作業に対応したときと同じ組み合わせであるかどうか、及び／又は、前記高スキル作業者の作業スキルと前記低スキル作業者の作業スキルとの差が所定の基準以上であるかどうかを判定して、
組み合わせが当該作業と同じ前回の作業に対応したときと同じ組み合わせではなく、前記差が所定の基準以上である場合には、前記低スキル作業者と前記高スキル作業者とをいずれも作業者として抽出し、
組み合わせが当該作業と同じ前回の作業に対応したときと同じ組み合わせであるか、又は前記差が所定の基準より低い場合には、前記複数の作業者のうち前記低スキル作業者を除く他の作業者の中で作業スキルの最も低い別の低スキル作業者を抽出する、
請求項２４に記載の作業者選定方法。
【請求項２６】
前記作業スキル判定ステップにおいて、
前記低スキル作業者と前記高スキル作業者との組み合わせが当該作業と同じ前回の作業に対応したときと同じ組み合わせであるかどうか、及び／又は、前記高スキル作業者の作業スキルと前記低スキル作業者の作業スキルとの差が所定の基準以上であるかどうかを判定して、
組み合わせが当該作業と同じ前回の作業に対応したときと同じ組み合わせである場合には、前記複数の作業者のうち前記高スキル作業者を除く他の作業者の中で作業スキルの最も高い別の高スキル作業者を選び、該別の高スキル作業者と前記低スキル作業者との組み合わせが、当該作業と同じ前回の作業に対応したときと同じ組み合わせであるかどうかを判定する処理を繰り返し、
組み合わせが当該作業と同じ前回の作業に対応したときと同じ組み合わせではなく、前記差が所定の基準以上である場合には、前記低スキル作業者と前記高スキル作業者とをいずれも作業者として抽出し、
前記差が所定の基準より低い場合には、前記複数の作業者のうち前記低スキル作業者を除く他の作業者の中で作業スキルの最も低い別の低スキル作業者を抽出する、
請求項２４に記載の作業者選定方法。
【請求項２７】
前記作業スキル判定ステップにおいて、前記複数の作業者のうち前記低スキル作業者を除く他の作業者を抽出できない場合には、前記作業者選定ステップにおいて、前記複数の作業者の中から、過去において当該作業に対応した際に要した時間のうち最短の作業時間が最も短い作業者を選定する、
請求項２３、請求項２５又は請求項２６に記載の作業者選定方法。
【請求項２８】
前記複数の作業者の中に前記作業を行った経験のない作業者がいるかどうかを判定し、当該作業者がいる場合にはその作業者に前記作業に対する仮作業スキルを設定する、作業未経験者判定ステップをさらに含む、請求項１５から請求項２７までのいずれか１項に記載の作業者選定方法。
【請求項２９】
コンピュータ・システム上で実行可能なコンピュータ・プログラムであって、請求項１５から請求項２８までのいずれか１項に記載の方法のステップを前記コンピュータ・システムに実行させるための命令を含む、コンピュータ・プログラム。
【手続補正書】
【提出日】令和2年4月13日(2020.4.13)
【手続補正１】
【補正対象書類名】特許請求の範囲
【補正対象項目名】全文
【補正方法】変更
【補正の内容】
【特許請求の範囲】
【請求項１】
設備における必要な作業に対応する作業者を複数の作業者の中から自動的に選定するための作業者選定システムであって、
設備における必要な作業に関する情報である作業情報と、複数の作業者の情報と各々の作業者が過去に行った作業に関する情報とを含む作業者情報と、前記作業に対応する前記複数の作業者の当該作業に対する作業スキルに関する情報である作業スキル情報とを格納した記憶部と、
対応が必要な作業の発生時に、前記作業情報と、前記作業者情報と、前記作業スキル情報とを前記記憶部から取得し、複数の作業者間の当該作業に対する作業スキルの高低を判定し、複数の作業者のうち作業スキルの最も低い低スキル作業者を抽出する、作業スキル判定部と、
前記作業スキル判定部によって抽出された前記低スキル作業者について、前記低スキル作業者の前記作業に対する過去の作業スキルの変化を求め、その変化に基づいて作業スキルの向上可能性を判定する、作業スキル向上可能性判定部と、
前記作業スキル向上可能性判定部によって前記低スキル作業者の作業スキル向上が可能であると判定された場合に、抽出された前記低スキル作業者を前記作業への対応作業者として選定し、該対応作業者の作業者情報を出力する、作業者選定部と、
前記作業者選定部によって選定された前記対応作業者が対応した作業の結果に基づいて、前記記憶部の前記作業情報、前記作業者情報、及び前記作業スキル情報のいずれか又はこれらの組み合わせを更新する情報更新部と
を有することを特徴とする作業者選定システム。
【請求項２】
前記作業スキル判定部によって抽出された前記低スキル作業者について、前記作業スキル向上可能性判定部によって作業スキル向上が可能ではないと判定された場合には、前記作業スキル判定部は、前記複数の作業者のうち前記低スキル作業者を除く他の作業者の中で作業スキルの最も低い別の低スキル作業者を抽出する
請求項１に記載の作業者選定システム。
【請求項３】
前記作業スキル判定部によって抽出された前記低スキル作業者について、前記作業スキル向上可能性判定部によって作業スキル向上が可能ではないと判定された場合には、前記作業スキル判定部は、前記低スキル作業者と、前記複数の作業者のうち前記低スキル作業者を除く他の作業者の中で作業スキルの最も高い高スキル作業者とを、いずれも作業者として抽出する、
請求項１に記載の作業者選定システム。
【請求項４】
前記作業スキル判定部は、
前記低スキル作業者と前記高スキル作業者との組み合わせが当該作業と同じ前回の作業に対応したときと同じ組み合わせであるかどうか、及び／又は、前記高スキル作業者の作業スキルと前記低スキル作業者の作業スキルとの差が所定の基準以上であるかどうかを判定して、
組み合わせが当該作業と同じ前回の作業に対応したときと同じ組み合わせではなく、前記差が所定の基準以上である場合には、前記低スキル作業者と前記高スキル作業者とをいずれも作業者として抽出し、
組み合わせが当該作業と同じ前回の作業に対応したときと同じ組み合わせであるか、又は前記差が所定の基準より低い場合には、前記複数の作業者のうち前記低スキル作業者を除く他の作業者の中で作業スキルの最も低い別の低スキル作業者を抽出する、
請求項３に記載の作業者選定システム。
【請求項５】
前記作業スキル判定部は、
前記低スキル作業者と前記高スキル作業者との組み合わせが当該作業と同じ前回の作業に対応したときと同じ組み合わせであるかどうか、及び／又は、前記高スキル作業者の作業スキルと前記低スキル作業者の作業スキルとの差が所定の基準以上であるかどうかを判定して、
組み合わせが当該作業と同じ前回の作業に対応したときと同じ組み合わせである場合には、前記複数の作業者のうち前記高スキル作業者を除く他の作業者の中で作業スキルの最も高い別の高スキル作業者を選び、該別の高スキル作業者と前記低スキル作業者との組み合わせが、当該作業と同じ前回の作業に対応したときと同じ組み合わせであるかどうかを判定する処理を繰り返し、
組み合わせが当該作業と同じ前回の作業に対応したときと同じ組み合わせではなく、前記差が所定の基準以上である場合には、前記低スキル作業者と前記高スキル作業者とをいずれも作業者として抽出し、
前記差が所定の基準より低い場合には、前記複数の作業者のうち前記低スキル作業者を除く他の作業者の中で作業スキルの最も低い別の低スキル作業者を抽出する、
請求項３に記載の作業者選定システム。
【請求項６】
前記作業スキル判定部が、前記複数の作業者のうち前記低スキル作業者を除く他の作業者を抽出できない場合には、前記作業者選定部は、前記複数の作業者の中から所定の選定基準を満たすいずれかの作業者を選定する、
請求項２、請求項４、又は請求項５のいずれか１項に記載の作業者選定システム。
【請求項７】
設備における必要な作業に対応する作業者を複数の作業者の中から自動的に選定するための作業者選定システムであって、
設備における必要な作業に関する情報である作業情報と、複数の作業者の情報と各々の作業者が過去に行った作業に関する情報とを含む作業者情報と、前記作業に対応する前記複数の作業者の当該作業に対する作業スキルに関する情報である作業スキル情報と、設備によって生産される物品の生産関連情報とを格納した記憶部と、
対応が必要な作業の発生時に、前記生産関連情報を前記記憶部から取得し、前記作業を行うために設備の稼働を停止しても生産計画を達成することができる許容時間を算出する作業許容時間算出部と、
対応が必要な作業の発生時に、前記作業情報と、前記作業者情報と、前記作業スキル情報とを前記記憶部から取得し、複数の作業者間の当該作業に対する作業スキルの高低を判定し、複数の作業者のうち作業スキルの最も低い低スキル作業者を抽出する、作業スキル判定部と、
前記作業スキル判定部によって抽出された前記低スキル作業者が、前記許容時間内に当該作業を完了することができるかどうかを判定する、作業完了可能性判定部と、
前記作業完了可能性判定部によって前記低スキル作業者が当該作業を完了することができると判定された場合には、抽出された前記低スキル作業者を前記作業への対応作業者として選定し、該対応作業者の作業者情報を出力する、作業者選定部と、
前記作業者選定部によって選定された前記対応作業者が対応した作業の結果に基づいて、前記記憶部の前記作業情報、前記作業者情報、及び前記作業スキル情報のいずれか又はこれらの組み合わせを更新する情報更新部と
を有することを特徴とする作業者選定システム。
【請求項８】
前記作業スキル判定部によって抽出された前記低スキル作業者について、前記低スキル作業者の前記作業に対する過去の作業スキルの変化を求め、その変化に基づいて作業スキルの向上可能性を判定する、作業スキル向上可能性判定部をさらに有し、
前記作業完了可能性判定部によって前記低スキル作業者が当該作業を完了することができると判定され、かつ、前記作業スキル向上可能性判定部によって前記低スキル作業者の作業スキル向上が可能であると判定された場合には、前記作業者選定部は、前記低スキル作業者を前記対応作業者として選定する、
請求項７に記載の作業者選定システム。
【請求項９】
前記作業スキル向上可能性判定部によって前記低スキル作業者の作業スキル向上が可能ではないと判定された場合には、前記作業スキル判定部は、前記複数の作業者のうち前記低スキル作業者を除く他の作業者の中で作業スキルの最も低い別の低スキル作業者を抽出する
請求項８に記載の作業者選定システム。
【請求項１０】
前記作業完了可能性判定部によって前記低スキル作業者が前記作業を完了することができないと判定された場合には、前記作業スキル判定部は、前記複数の作業者のうち前記低スキル作業者を除く他の作業者の中で作業スキルの最も低い別の低スキル作業者を抽出する
請求項７に記載の作業者選定システム。
【請求項１１】
前記作業スキル判定部によって抽出された前記低スキル作業者について、前記作業スキル向上可能性判定部によって作業スキル向上が可能ではないと判定された場合には、前記作業スキル判定部は、前記低スキル作業者と、前記複数の作業者のうち前記低スキル作業者を除く他の作業者の中で作業スキルの最も高い高スキル作業者とを、いずれも作業者として抽出する、
請求項８に記載の作業者選定システム。
【請求項１２】
前記作業スキル判定部は、
前記低スキル作業者と前記高スキル作業者との組み合わせが当該作業と同じ前回の作業に対応したときと同じ組み合わせであるかどうか、及び／又は、前記高スキル作業者の作業スキルと前記低スキル作業者の作業スキルとの差が所定の基準以上であるかどうかを判定して、
組み合わせが当該作業と同じ前回の作業に対応したときと同じ組み合わせではなく、前記差が所定の基準以上である場合には、前記低スキル作業者と前記高スキル作業者とをいずれも作業者として抽出し、
組み合わせが当該作業と同じ前回の作業に対応したときと同じ組み合わせであるか、又は前記差が所定の基準より低い場合には、前記複数の作業者のうち前記低スキル作業者を除く他の作業者の中で作業スキルの最も低い別の低スキル作業者を抽出する、
請求項１１に記載の作業者選定システム。
【請求項１３】
前記作業スキル判定部は、
前記低スキル作業者と前記高スキル作業者との組み合わせが当該作業と同じ前回の作業に対応したときと同じ組み合わせであるかどうか、及び／又は、前記高スキル作業者の作業スキルと前記低スキル作業者の作業スキルとの差が所定の基準以上であるかどうかを判定して、
組み合わせが当該作業と同じ前回の作業に対応したときと同じ組み合わせである場合には、前記複数の作業者のうち前記高スキル作業者を除く他の作業者の中で作業スキルの最も高い別の高スキル作業者を選び、該別の高スキル作業者と前記低スキル作業者との組み合わせが、当該作業と同じ前回の作業に対応したときと同じ組み合わせであるかどうかを判定する処理を繰り返し、
組み合わせが当該作業と同じ前回の作業に対応したときと同じ組み合わせではなく、前記差が所定の基準以上である場合には、前記低スキル作業者と前記高スキル作業者とをいずれも作業者として抽出し、
前記差が所定の基準より低い場合には、前記複数の作業者のうち前記低スキル作業者を除く他の作業者の中で作業スキルの最も低い別の低スキル作業者を抽出する、
請求項１１に記載の作業者選定システム。
【請求項１４】
前記作業スキル判定部が、前記複数の作業者のうち前記低スキル作業者を除く他の作業者を抽出できない場合には、前記作業者選定部は、前記複数の作業者の中から、過去において当該作業に対応した際に要した時間のうち最短の作業時間が最も短い作業者を選定する、
請求項９、請求項１０、請求項１２又は請求項１３のいずれか１項に記載の作業者選定システム。
【請求項１５】
前記複数の作業者の中に前記作業を行った経験のない作業者がいるかどうかを判定し、当該作業者がいる場合にはその作業者に前記作業に対する仮作業スキルを設定する、作業未経験者判定部をさらに含む、請求項１から請求項１４までのいずれか１項に記載の作業者選定システム。
【請求項１６】
設備における必要な作業に対応する作業者を複数の作業者の中から自動的に選定するための作業者選定システムによって実施される作業者選定方法であって、
前記作業者選定システムの作業スキル判定部が、対応が必要な作業が発生したときに、設備における必要な作業に関する情報である作業情報と、複数の作業者の情報とその作業者が過去に行った作業の情報とを含む作業者情報と、前記複数の作業者の当該作業に対する作業スキルに関する情報である作業スキル情報とを取得し、複数の作業者間の当該作業に対する作業スキルの高低を判定し、複数の作業者のうち作業スキルの最も低い低スキル作業者を抽出する、作業スキル判定ステップと、
前記作業スキル判定ステップにおいて抽出された前記低スキル作業者について、前記作業者選定システムの作業スキル向上可能性判定部が、前記低スキル作業者の前記作業に対する過去の作業スキルの変化を求め、その変化に基づいて作業スキルの向上可能性を判定する、作業スキル向上可能性判定ステップと、
前記作業スキル向上可能性判定ステップにおいて前記低スキル作業者の作業スキル向上が可能であると判定された場合に、前記作業者選定システムの作業者選定部が、抽出された前記低スキル作業者を前記作業への対応作業者として選定し、該対応作業者の作業者情報を出力する、作業者選定ステップと、
前記作業者選定ステップによって選定された前記対応作業者が対応した作業の結果に基づいて、前記作業者選定システムの情報更新部が、前記作業情報、前記作業者情報、及び前記作業スキル情報のいずれか又はこれらの組み合わせを更新する情報更新ステップと
を含むことを特徴とする作業者選定方法。
【請求項１７】
前記作業スキル判定ステップにおいて抽出された前記低スキル作業者について、前記作業スキル向上可能性判定ステップにおいて作業スキル向上が可能ではないと判定された場合には、前記作業スキル判定ステップにおいて、前記作業スキル判定部が、前記複数の作業者のうち前記低スキル作業者を除く他の作業者の中で作業スキルの最も低い別の低スキル作業者を抽出する
請求項１６に記載の作業者選定方法。
【請求項１８】
前記作業スキル判定ステップにおいて抽出された前記低スキル作業者について、前記作業スキル向上可能性判定ステップにおいて作業スキル向上が可能ではないと判定された場合には、前記作業スキル判定ステップにおいて、前記作業スキル判定部が、前記低スキル作業者と、前記複数の作業者のうち前記低スキル作業者を除く他の作業者の中で作業スキルの最も高い高スキル作業者とを、いずれも作業者として抽出する、
請求項１６に記載の作業者選定方法。
【請求項１９】
前記作業スキル判定ステップにおいて、前記作業スキル判定部が、
前記低スキル作業者と前記高スキル作業者との組み合わせが当該作業と同じ前回の作業に対応したときと同じ組み合わせであるかどうか、及び／又は、前記高スキル作業者の作業スキルと前記低スキル作業者の作業スキルとの差が所定の基準以上であるかどうかを判定して、
組み合わせが当該作業と同じ前回の作業に対応したときと同じ組み合わせではなく、前記差が所定の基準以上である場合には、前記低スキル作業者と前記高スキル作業者とをいずれも作業者として抽出し、
組み合わせが当該作業と同じ前回の作業に対応したときと同じ組み合わせであるか、又は前記差が所定の基準より低い場合には、前記複数の作業者のうち前記低スキル作業者を除く他の作業者の中で作業スキルの最も低い別の低スキル作業者を抽出する、
請求項１８に記載の作業者選定方法。
【請求項２０】
前記作業スキル判定ステップにおいて、前記作業スキル判定部が、
前記低スキル作業者と前記高スキル作業者との組み合わせが当該作業と同じ前回の作業に対応したときと同じ組み合わせであるかどうか、及び／又は、前記高スキル作業者の作業スキルと前記低スキル作業者の作業スキルとの差が所定の基準以上であるかどうかを判定して、
組み合わせが当該作業と同じ前回の作業に対応したときと同じ組み合わせである場合には、前記複数の作業者のうち前記高スキル作業者を除く他の作業者の中で作業スキルの最も高い別の高スキル作業者を選び、該別の高スキル作業者と前記低スキル作業者との組み合わせが、当該作業と同じ前回の作業に対応したときと同じ組み合わせであるかどうかを判定する処理を繰り返し、
組み合わせが当該作業と同じ前回の作業に対応したときと同じ組み合わせではなく、前記差が所定の基準以上である場合には、前記低スキル作業者と前記高スキル作業者とをいずれも作業者として抽出し、
前記差が所定の基準より低い場合には、前記複数の作業者のうち前記低スキル作業者を除く他の作業者の中で作業スキルの最も低い別の低スキル作業者を抽出する、
請求項１８に記載の作業者選定方法。
【請求項２１】
前記作業スキル判定ステップにおいて、前記複数の作業者のうち前記低スキル作業者を除く他の作業者を選定できない場合には、前記作業者選定ステップにおいて、前記作業者選定部が、前記複数の作業者の中から所定の選定基準を満たすいずれかの作業者を選定する
請求項１７、請求項１９又は請求項２０のいずれか１項に記載の作業者選定方法。
【請求項２２】
設備における必要な作業に対応する作業者を複数の作業者の中から自動的に選定するための作業者選定システムによって実施される作業者選定方法であって、
設備における必要な作業に関する情報である作業情報と、複数の作業者の情報と各々の作業者が過去に行った作業に関する情報とを含む作業者情報と、前記作業に対応する前記複数の作業者の当該作業に対する作業スキルに関する情報である作業スキル情報と、設備によって生産される物品の生産関連情報とが、記憶部に格納されており、
前記作業者選定システムの作業許容時間算出部が、対応が必要な作業が発生したときに、前記生産関連情報を前記記憶部から取得し、前記作業を行うために設備の稼働を停止しても生産計画を達成することができる許容時間を算出する許容時間算出ステップと、
前記作業者選定システムの作業スキル判定部が、対応が必要な作業が発生したときに、前記作業情報と、前記作業者情報と、前記作業スキル情報とを前記記憶部から取得し、複数の作業者間の当該作業に対する作業スキルの高低を判定し、複数の作業者のうち作業スキルの最も低い低スキル作業者を抽出する、作業スキル判定ステップと、
前記作業者選定システムの作業完了可能性判定部が、前記作業スキル判定ステップにおいて抽出された前記低スキル作業者が、前記許容時間内に当該作業を完了することができるかどうかを判定する、作業完了可能性判定ステップと、
前記作業完了可能性判定ステップにおいて前記低スキル作業者が当該作業を完了することができると判定された場合には、前記作業者選定システムの作業者選定部が、抽出された前記低スキル作業者を前記作業への対応作業者として選定し、該対応作業者の作業者情報を出力する、作業者選定ステップと、
前記作業者選定ステップにおいて選定された前記対応作業者が対応した作業の結果に基づいて、前記作業者選定システムの情報更新部が、前記記憶部の前記作業情報、前記作業者情報、及び前記作業スキル情報のいずれか又はこれらの組み合わせを更新する情報更新ステップと
を含むことを特徴とする作業者選定方法。
【請求項２３】
前記作業者選定システムの作業スキル向上可能性判定部が、前記作業スキル判定ステップにおいて抽出された前記低スキル作業者について、前記低スキル作業者の前記作業に対する過去の作業スキルの変化を求め、その変化に基づいて作業スキルの向上可能性を判定する、作業スキル向上可能性判定ステップをさらに含み、
前記作業完了可能性判定ステップにおいて前記低スキル作業者が当該作業を完了することができると判定され、かつ、前記作業スキル向上可能性判定ステップにおいて前記低スキル作業者の作業スキル向上が可能であると判定された場合には、前記作業者選定ステップにおいて、前記作業者選定部が、前記低スキル作業者を前記対応作業者として選定する、
請求項２２に記載の作業者選定方法。
【請求項２４】
前記作業スキル向上可能性判定ステップにおいて前記低スキル作業者の作業スキル向上が可能ではないと判定された場合には、前記作業スキル判定ステップにおいて、前記作業スキル判定部が、前記複数の作業者のうち前記低スキル作業者を除く他の作業者の中で作業スキルの最も低い別の低スキル作業者を抽出する
請求項２３に記載の作業者選定方法。
【請求項２５】
前記作業完了可能性判定ステップにおいて前記低スキル作業者が前記作業を完了することができないと判定された場合には、前記作業スキル判定ステップにおいて、前記作業スキル判定部が、前記複数の作業者のうち前記低スキル作業者を除く他の作業者の中で作業スキルの最も低い別の低スキル作業者を抽出する
請求項２２に記載の作業者選定方法。
【請求項２６】
前記作業スキル判定ステップにおいて抽出された前記低スキル作業者について、前記作業スキル向上可能性判定ステップにおいて作業スキル向上が可能ではないと判定された場合には、前記作業スキル判定ステップにおいて、前記作業スキル判定部が、前記低スキル作業者と、前記複数の作業者のうち前記低スキル作業者を除く他の作業者の中で作業スキルの最も高い高スキル作業者とを、いずれも作業者として抽出する、
請求項２３に記載の作業者選定方法。
【請求項２７】
前記作業スキル判定ステップにおいて、前記作業スキル判定部が、
前記低スキル作業者と前記高スキル作業者との組み合わせが当該作業と同じ前回の作業に対応したときと同じ組み合わせであるかどうか、及び／又は、前記高スキル作業者の作業スキルと前記低スキル作業者の作業スキルとの差が所定の基準以上であるかどうかを判定して、
組み合わせが当該作業と同じ前回の作業に対応したときと同じ組み合わせではなく、前記差が所定の基準以上である場合には、前記低スキル作業者と前記高スキル作業者とをいずれも作業者として抽出し、
組み合わせが当該作業と同じ前回の作業に対応したときと同じ組み合わせであるか、又は前記差が所定の基準より低い場合には、前記複数の作業者のうち前記低スキル作業者を除く他の作業者の中で作業スキルの最も低い別の低スキル作業者を抽出する、
請求項２６に記載の作業者選定方法。
【請求項２８】
前記作業スキル判定ステップにおいて、前記作業スキル判定部が、
前記低スキル作業者と前記高スキル作業者との組み合わせが当該作業と同じ前回の作業に対応したときと同じ組み合わせであるかどうか、及び／又は、前記高スキル作業者の作業スキルと前記低スキル作業者の作業スキルとの差が所定の基準以上であるかどうかを判定して、
組み合わせが当該作業と同じ前回の作業に対応したときと同じ組み合わせである場合には、前記複数の作業者のうち前記高スキル作業者を除く他の作業者の中で作業スキルの最も高い別の高スキル作業者を選び、該別の高スキル作業者と前記低スキル作業者との組み合わせが、当該作業と同じ前回の作業に対応したときと同じ組み合わせであるかどうかを判定する処理を繰り返し、
組み合わせが当該作業と同じ前回の作業に対応したときと同じ組み合わせではなく、前記差が所定の基準以上である場合には、前記低スキル作業者と前記高スキル作業者とをいずれも作業者として抽出し、
前記差が所定の基準より低い場合には、前記複数の作業者のうち前記低スキル作業者を除く他の作業者の中で作業スキルの最も低い別の低スキル作業者を抽出する、
請求項２６に記載の作業者選定方法。
【請求項２９】
前記作業スキル判定ステップにおいて、前記複数の作業者のうち前記低スキル作業者を除く他の作業者を抽出できない場合には、前記作業者選定ステップにおいて、前記作業者選定部が、前記複数の作業者の中から、過去において当該作業に対応した際に要した時間のうち最短の作業時間が最も短い作業者を選定する、
請求項２４、請求項２５、請求項２７又は請求項２８に記載の作業者選定方法。
【請求項３０】
前記作業者選定システムの作業未経験者判定部が、前記複数の作業者の中に前記作業を行った経験のない作業者がいるかどうかを判定し、当該作業者がいる場合にはその作業者に前記作業に対する仮作業スキルを設定する、作業未経験者判定ステップをさらに含む、請求項１６から請求項２９までのいずれか１項に記載の作業者選定方法。
【請求項３１】
コンピュータ・システム上で実行可能なコンピュータ・プログラムであって、請求項１６から請求項３０までのいずれか１項に記載の方法のステップを前記コンピュータ・システムに実行させるための命令を含む、コンピュータ・プログラム。